(57)【要約】  本発明にかかる撮像光学系、撮像装置およびデジタル機器は、物体側から順に配置される複数のレンズを備え、前記複数のレンズのうちの最も物体側に配置されるレンズは、正の屈折力を有し、前記複数のレンズのうちの少なくとも１枚のレンズは、赤外線を吸収する赤外線吸収材料を含んだ樹脂材料製の非球面レンズである。
2014080561.tif 000002
【特許請求の範囲】
【請求項１】
物体側から像側へ順に配置される複数のレンズを備え、
前記複数のレンズのうちの最も物体側に配置されるレンズは、正の屈折力を有し、
前記複数のレンズのうちの少なくとも１枚のレンズは、赤外線を吸収する赤外線吸収材料を含んだ樹脂材料製の非球面レンズであること
を特徴とする撮像光学系。
【請求項２】
下記（Ａ１）ないし（Ａ３）の各条件式を満たすこと
を特徴とする請求項１に記載の撮像光学系。
０．５＜ＯＰｐ／ＯＰｃ＜１．５      ・・・（Ａ１）
２６＜α≦４５      ・・・（Ａ２）
０．５５≦Ｙ／ＴＴＬ      ・・・（Ａ３）
ただし、
ＯＰｐ：前記赤外線吸収材料を含んだ樹脂材料製の非球面レンズにおける８割像高での光路長
ＯＰｃ：前記赤外線吸収材料を含んだ樹脂材料製の非球面レンズにおける光軸上での光路長
α：像面への最大像高に対する主光線の光線入射角（ｄｅｇ）
Ｙ：最大像高
ＴＴＬ：無限遠物体時の光学全長
【請求項３】
前記複数のレンズは、４枚、５枚および６枚のうちのいずれかの枚数であり、
前記複数のレンズのうちの少なくとも２枚のレンズは、正の屈折力を有し、
前記複数のレンズのうちの少なくとも２枚のレンズは、負の屈折力を有すること
を特徴とする請求項１または請求項２に記載の撮像光学系。
【請求項４】
下記（Ａ４）および（Ａ５）の各条件式をさらに満たすこと
を特徴とする請求項１ないし請求項３のいずれか１項に記載の撮像光学系。
ＦＮ≦３      ・・・（Ａ４）
２５≦ｗ≦１００      ・・・（Ａ５）
ただし、
ＦＮ：Ｆナンバー
ｗ：半画角（ｄｅｇ）
【請求項５】
前記赤外線吸収材を含んだ樹脂材料製の前記非球面レンズのうちの少なくとも１枚は、下記（Ａ６）の条件式をさらに満たすこと
を特徴とする請求項１ないし請求項４のいずれか１項に記載の撮像光学系。
１≦ＴＤｍａｘ／ＴＤｍｉｎ＜２．３      ・・・（Ａ６）
ただし、
ＴＤｍａｘ：前記赤外線吸収材を含んだ樹脂材料製の非球面レンズにおける最大の厚さ
ＴＤｍｉｎ：前記赤外線吸収材を含んだ樹脂材料製の非球面レンズにおける最小の厚さ
なお、前記厚さは、光軸と平行な方向の長さである。
【請求項６】
前記赤外線吸収材を含んだ樹脂材料製の前記非球面レンズのうちの少なくとも１枚は、下記（Ａ７）の条件式をさらに満たすこと
を特徴とする請求項１ないし請求項５のいずれか１項に記載の撮像光学系。
０≦｜ｆ／ｆｉｒ｜＜１．５      ・・・（Ａ７）
ただし、
ｆ：前記撮像光学系全系の焦点距離
ｆｉｒ：前記赤外線を吸収する樹脂材料製の非球面レンズにおける焦点距離
【請求項７】
前記複数のレンズのうちの最も像側に配置されるレンズは、固定されていること
を特徴とする請求項１ないし請求項６のいずれか１項に記載の撮像光学系。
【請求項８】
前記複数のレンズのうちの少なくとも１枚のレンズは、レンズ面に形成された、４００ｎｍ以下の波長域ならびに７００ｎｍ以上の波長域における各透過率を抑制するコーティング層を備えること
を特徴とする請求項１ないし請求項７のいずれか１項に記載の撮像光学系。
【請求項９】
前記複数のレンズは、５枚の第１ないし第５レンズであり、
前記第２レンズは、負の屈折力を有し、
前記赤外線を吸収する赤外線吸収材を含んだ樹脂材料製の前記非球面レンズは、前記第１および第２レンズのうちの少なくとも一方であり、
前記赤外線吸収材料を含んだ樹脂材料製の前記非球面レンズのうちの少なくとも１枚は、下記（Ｂ１）ないし（Ｂ５）の各条件式を満たすこと
を特徴とする請求項１に記載の撮像光学系。
０．５≦｜ｆ／ｆｉｒ｜＜１．５      ・・・（Ｂ１）
０≦｜Ｄｉｒ／ＴＴＬ＜０．２      ・・・（Ｂ２）
ＦＮ≦３      ・・・（Ｂ３）
２５≦ｗ≦１００      ・・・（Ｂ４）
２５＜α≦４５      ・・・（Ｂ５）
ただし、
ｆ：前記撮像光学系全系の焦点距離
ｆｉｒ：前記赤外線を吸収する赤外線吸収材を含んだ樹脂材料製の非球面レンズにおける焦点距離
Ｄｉｒ：開口絞りから、前記赤外線を吸収する赤外線吸収材を含んだ樹脂材料製の非球面レンズにおける物体側面までの光軸上での光路長
ＴＴＬ：無限遠物体時の光学全長
ＦＮ：Ｆナンバー
ｗ：半画角（ｄｅｇ）
α：像面への最大像高に対応する主光線の光線入射角（ｄｅｇ）
【請求項１０】
前記赤外線吸収材を含んだ樹脂材料製の前記非球面レンズのうちの少なくとも１枚は、
下記（Ｂ６）の条件式をさらに満たすこと
を特徴とする請求項９に記載の撮像光学系。
１≦＜ＴＤｍａｘ／ＴＤｍｉｎ＜２．３      ・・・（Ｂ６）
ただし、
ＴＤｍａｘ：前記赤外線吸収材を含んだ樹脂材料製の非球面レンズにおける最大厚さ
ＴＤｍｉｎ：前記赤外線吸収材を含んだ樹脂材料製の非球面レンズにおける最小厚さ
なお、前記厚さは、光軸と平行な方向の長さである。
【請求項１１】
下記（Ｂ７）の条件式をさらに満たすこと
を特徴とする請求項９または請求項１０に記載の撮像光学系。
０．７＜ＯＰｐ／ＯＰｃ＜１．３      ・・・（Ｂ７）
ＯＰｐ：前記赤外線吸収材を含んだ樹脂材料製の非球面レンズにおける８割像高での光路長
ＯＰｃ：前記赤外線吸収材を含んだ樹脂材料製の非球面レンズにおける光軸上での光路長
【請求項１２】
前記赤外線吸収材を含んだ樹脂材料製の前記非球面レンズは、１枚であること
を特徴とする請求項９ないし請求項１１のいずれか１項に記載の撮像光学系。
【請求項１３】
下記（Ｂ８）の条件式をさらに満たすこと
を特徴とする請求項９ないし請求項１２のいずれか１項に記載の撮像光学系。
８０＜Ｔｒ＜９０      ・・・（Ｂ８）
ただし、
Ｔｒ：可視光域（波長４００ｎｍ〜７００ｎｍ）での平均透過率（％）
【請求項１４】
前記複数のレンズは、５枚の第１ないし第５レンズであり、
前記第２レンズは、負の屈折力を有し、
前記赤外線を吸収する赤外線吸収材を含んだ樹脂材料製の前記非球面レンズは、前記第３ないし第５レンズのうちの少なくとも１枚のレンズであり、
前記赤外線吸収材料を含んだ樹脂材料製の前記非球面レンズのうちの少なくとも１枚は、前記赤外線を吸収する赤外線吸収材を含んだレンズのうちの少なくとも１枚は、下記（Ｃ１）ないし（Ｃ４）の各条件式を満たすこと
を特徴とする請求項１に記載の撮像光学系。
０≦｜ｆ／ｆｉｒ｜＜０．５      ・・・（Ｃ１）
ＦＮ≦３      ・・・（Ｃ２）
２５≦ｗ≦１００      ・・・（Ｃ３）
２５＜α≦４５      ・・・（Ｃ４）
ただし、
ｆ：前記撮像光学系全系の焦点距離
ｆｉｒ：前記赤外線を吸収する赤外線吸収材を含んだ樹脂材料製の非球面レンズにおける焦点距離
ＦＮ：Ｆナンバー
ｗ：半画角（ｄｅｇ）
α：像面への最大像高に対応する主光線の光線入射角（ｄｅｇ）
【請求項１５】
前記赤外線吸収材を含んだ樹脂材料製の前記非球面レンズのうちの少なくとも１枚は、
下記（Ｃ５）の条件式をさらに満たすこと
を特徴とする請求項１４に記載の撮像光学系。
１＜ＴＤｍａｘ／ＴＤｍｉｎ＜１．７５      ・・・（Ｃ５）
ただし、
ＴＤｍａｘ：前記赤外線吸収材を含んだ樹脂材料製の非球面レンズにおける最大厚さ
ＴＤｍｉｎ：前記赤外線吸収材を含んだ樹脂材料製の非球面レンズにおける最小厚さ
なお、前記厚さは、光軸と平行な方向の長さである。
【請求項１６】
下記（Ｃ６）の条件式をさらに満たすこと
を特徴とする請求項１４または請求項１５に記載の撮像光学系。
０．７＜ＯＰｐ／ＯＰｃ＜１．３      ・・・（Ｃ６）
ＯＰｐ：前記赤外線吸収材を含んだ樹脂材料製の非球面レンズにおける８割像高での光路長
ＯＰｃ：前記赤外線吸収材を含んだ樹脂材料製の非球面レンズにおける光軸上での光路長
【請求項１７】
前記第３レンズは、有効領域内であって中心から前記有効領域の半分より外側の領域に像側に凹形状を有すること
を特徴とする請求項１４ないし請求項１６のいずれか１項に記載の撮像光学系。
【請求項１８】
下記（Ｃ７）の条件式をさらに満たすこと
を特徴とする請求項１４ないし請求項１７のいずれか１項に記載の撮像光学系。
８０＜Ｔｒ＜９０      ・・・（Ｃ７）
ただし、
Ｔｒ：可視光域（波長４００ｎｍ〜７００ｎｍ）での平均透過率（％）
【請求項１９】
前記赤外線吸収材を含んだ樹脂材料製の非球面レンズは、１枚であること
を特徴とする請求項１４ないし請求項１８のいずれか１項に記載の撮像光学系。
【請求項２０】
請求項１ないし請求項１９のいずれか１項に記載の撮像光学系と、
光学像を電気的な信号に変換する撮像素子とを備え、
前記撮像光学系が前記撮像素子の受光面上に物体の光学像を形成可能とされていること
を特徴とする撮像装置。
【請求項２１】
請求項２０に記載の撮像装置と、
前記撮像装置に被写体の静止画撮影および動画撮影の少なくとも一方の撮影を行わせる制御部とを備え、
前記撮像装置の撮像光学系が、前記撮像素子の撮像面上に前記被写体の光学像を形成可能に組み付けられていること
を特徴とするデジタル機器。
【請求項２２】
携帯端末から成ることを特徴とする請求項２１に記載のデジタル機器。
【発明の詳細な説明】
【技術分野】
【０００１】
本発明は、被写体の光学像を所定の面上に形成する撮像光学系に関する。そして、本発明は、この撮像光学系を用いた撮像装置およびデジタル機器に関する。
【背景技術】
【０００２】
近年、ＣＣＤ（Ｃｈａｒｇｅｄ  Ｃｏｕｐｌｅｄ  Ｄｅｖｉｃｅ）型イメージセンサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型イメージセンサ等の固体撮像素子を用いた撮像装置の高性能化や小型化が伸展し、これに伴って、この撮像装置を備えた携帯電話機や携帯情報端末等のデジタル機器が普及している。このようなデジタル機器は、それを携行する場合の利便性等の観点から、厚さがより薄くなる傾向にある。特に、いわゆるスマートフォンでは、薄型化の傾向が顕著である。このため、これに搭載される撮像装置も薄型化への要求が高まっており、撮像装置に用いられる撮像光学系における光学全長の短縮化が望まれる。【０００３】
この光学全長の短縮化の要望に応えるために、例えば、特許文献１では、撮像レンズを構成する複数枚のレンズのうちの所定のレンズが、赤外線を吸収するガラス部材で形成されている。固体撮像素子を用いた撮像装置は、一般に、固体撮像素子の受光波長特性から赤外線カットフィルタを備えるが、前記特許文献１に開示の撮像レンズは、前記構成によって、この赤外線カットフィルタを省略することができ、これによって光学全長の短縮化を図っている。【０００４】
ところで、前記特許文献１に開示の撮像レンズでは、赤外線を吸収するレンズを形成するために、無機物の赤外線吸収材がガラス部材に混入されている。このため、所望の赤外線吸収量を得るために、赤外線吸収材を混入したガラス部材（レンズ）を厚くする必要があり、光学全長の短縮化に不都合であった。特に、スマートフォン等の携帯電話機に搭載される撮像装置に用いられる撮像光学系は、その光学全長が数ｍｍであるため、レンズが少しでも薄くできることが要望されており、この問題は、重大である。
【先行技術文献】
【特許文献】
【０００５】
【特許文献１】特開２００７−２２５６４２号公報
【発明の概要】
【０００６】
本発明は、上述の事情に鑑みて為された発明であり、その目的は、赤外線を吸収する機能を持つレンズをより薄くすることができる撮像光学系を提供することである。
【０００７】
本発明にかかる撮像光学系、撮像装置およびデジタル機器は、物体側から順に配置される複数のレンズを備え、前記複数のレンズのうちの最も物体側に配置されるレンズは、正の屈折力を有し、前記複数のレンズのうちの少なくとも１枚のレンズは、赤外線を吸収する赤外線吸収材料を含んだ樹脂材料製の非球面レンズである。このため、このような撮像光学系、撮像装置およびデジタル機器は、赤外線を吸収する機能を持つレンズをより薄くすることができる。
【０００８】
上記並びにその他の本発明の目的、特徴及び利点は、以下の詳細な記載と添付図面から明らかになるであろう。
【図面の簡単な説明】
【０００９】
【図１】第１実施形態における撮像光学系の説明のための、その構成を模式的に示したレンズ断面図である。
【図２】主光線の像面入射角の定義を示す模式図である。
【図３】第２実施形態における撮像光学系の説明のための、その構成を模式的に示したレンズ断面図である。
【図４】第３実施形態における撮像光学系の説明のための、その構成を模式的に示したレンズ断面図である。
【図５】第１ないし第３実施形態の撮像光学系において、赤外線吸収レンズに形成される反射防止のための凹凸構造体を説明するための図である。
【図６】第４実施形態におけるデジタル機器の構成を示すブロック図である。
【図７】デジタル機器の一実施形態を示すカメラ付携帯電話機の外観構成図である。
【図８】実施例１の撮像光学系におけるレンズの配列を示す断面図である。
【図９】実施例２の撮像光学系におけるレンズの配列を示す断面図である。
【図１０】実施例３の撮像光学系におけるレンズの配列を示す断面図である。
【図１１】実施例４の撮像光学系におけるレンズの配列を示す断面図である。
【図１２】実施例５の撮像光学系におけるレンズの配列を示す断面図である。
【図１３】実施例６の撮像光学系におけるレンズの配列を示す断面図である。
【図１４】実施例７の撮像光学系におけるレンズの配列を示す断面図である。
【発明を実施するための形態】
【００１０】
以下、本発明にかかる実施の一形態を図面に基づいて説明する。なお、各図において同一の符号を付した構成は、同一の構成であることを示し、適宜、その説明を省略する。また、本明細書において、総称する場合には添え字を省略した参照符号で示し、個別の構成を指す場合には添え字を付した参照符号で示す。
【００１１】
＜主要用語の説明＞
以下の説明において使用されている用語は、本明細書において、次の通りに定義されているものとする。
（ａ）屈折率は、ｄ線の波長（５８７．５６ｎｍ）に対する屈折率である。
（ｂ）アッベ数は、ｄ線、Ｆ線（波長４８６．１３ｎｍ）、Ｃ線（波長６５６．２８ｎｍ）に対する屈折率を各々ｎｄ、ｎＦ、ｎＣとし、アッベ数をνｄとした場合に、
νｄ＝（ｎｄ−１）／（ｎＦ−ｎＣ）
の定義式で求められるアッベ数νｄをいうものとする。
（ｃ）レンズについて、「凹」、「凸」または「メニスカス」という表記を用いた場合、これらは、光軸近傍（レンズの中心付近）でのレンズ形状を表しているものとする。
（ｄ）接合レンズを構成している各単レンズにおける屈折力（光学的パワー、焦点距離の逆数）の表記は、単レンズのレンズ面の両側が空気である場合におけるパワーである。
（ｅ）複合型非球面レンズに用いる樹脂材料は、基板ガラス材料の付加的機能しかないため、単独の光学部材として扱わず、基板ガラス材料が非球面を有する場合と同等の扱いとし、レンズ枚数も１枚として取り扱うものとする。そして、レンズ屈折率も基板となっているガラス材料の屈折率とする。複合型非球面レンズは、基板となるガラス材料の上に薄い樹脂材料を塗布して非球面形状としたレンズである。
（ｆ）接合レンズにおけるレンズ枚数は、接合レンズ全体で１枚ではなく、接合レンズを構成する単レンズの枚数で表すこととする。
【００１２】
＜実施の一形態の撮像光学系の説明＞
本実施形態にかかる撮像光学系は、物体側から像側へ順に配置される複数のレンズを備え、前記複数のレンズのうちの最も物体側に配置されるレンズは、正の屈折力を有し、前記複数のレンズのうちの少なくとも１枚のレンズは、赤外線を吸収する赤外線吸収材料を含んだ樹脂材料製の非球面レンズである。このような撮像光学系は、赤外線を吸収する機能を持つレンズをより薄くすることができる。そして、このような撮像光学系は、撮像装置やデジタル機器に好適に用いられる。以下、このような撮像光学系、撮像装置およびデジタル機器について、より具体的に説明する。
【００１３】
＜第１実施形態の撮像光学系の説明＞
図１は、第１実施形態における撮像光学系の説明のための、その構成を模式的に示したレンズ断面図である。図２は、主光線の像面入射角の定義を示す模式図である。なお、以下において、主光線の像面入射角は、図２に示すように、撮像面への入射光線のうち最大画角の主光線の、像面に立てた垂線に対する角度（ｄｅｇ、度）αであり、像面入射角αは、射出瞳位置が像面より物体側にある場合の主光線角度を正方向とする。
【００１４】
図１において、この撮像光学系１００は、光学像を電気的な信号に変換する撮像素子１１７の受光面上に、物体（被写体）の光学像を結像させて形成するものであって、物体側より像側へ順に、複数のレンズから構成されて成る光学系である。図１に示す例では、撮像光学系１００は、第１ないし第５レンズ１１１〜１１５の５枚のレンズから成る。撮像素子１１７は、その受光面が撮像光学系１００の像面と略一致するように配置される（像面＝撮像面）。
【００１５】
そして、この撮像光学系１００では、第１ないし第５レンズ１１１〜１１５が全玉繰り出しで光軸方向に移動することによってフォーカシングが行われる。
【００１６】
さらに、この撮像光学系１００では、前記複数のレンズのうちの最も物体側に配置されるレンズは、正の屈折力を有し、前記複数のレンズのうちの少なくとも１枚のレンズは、赤外線を吸収する赤外線吸収材料を含んだ樹脂材料製の非球面レンズである。
【００１７】
より具体的には、図１に示す例では、第１レンズ１１１は、正の屈折力を有し、両面が凸形状である両凸の正レンズであり、第２レンズ１１２は、負の屈折力を有し、像側に凹である負メニスカスレンズであり、第３レンズ１１３は、正の屈折力を有し、物体側に凸である正メニスカスレンズであり、第４レンズ１１４は、正の屈折力を有し、像側に凸である正メニスカスレンズであり、そして、第５レンズ１１５は、負の屈折力を有し、像側に凹である負メニスカスレンズである。このように撮像光学系１００では、その第１ないし第５レンズ１１１〜１１５の屈折力は、正負正正負である。
【００１８】
第１ないし第５レンズ１１１〜１１５は、それぞれ、両面が非球面であり、そして、例えばプラスチック、より具体的にはポリカーボネートや環状オレフィン系樹脂等の樹脂材料で形成された樹脂材料製レンズである。また、樹脂材料製の非球面レンズにおける８割像高での光路長をＯＰｐとし、樹脂材料製の非球面レンズにおける光軸上での光路長をＯＰｃとする場合に、これら樹脂材料製レンズの第１ないし第５レンズ１１１〜１１５のうち、下記（Ａ１）の条件式を満たすレンズに対し、赤外線を吸収する機能が付与されている。
０．５＜ＯＰｐ／ＯＰｃ＜１．５      ・・・（Ａ１）
図１に示す例では、第１ないし第５レンズ１１１〜１１５におけるＯＰｐ／ＯＰｃの各値は、順に、１．０５、１．１０、１．０５、０．６０、１．６７である。したがって、図１に示す撮像光学系１００では、第１ないし第４レンズ１１１〜１１４のうちの１または複数のレンズが、赤外線を吸収する機能を有する赤外線吸収レンズである。より光路長を均一化するために、赤外線を吸収する機能を付与するレンズは、ＯＰｐ／ＯＰｃの値が１に近い順に選定することが好ましい。この例では、第１ないし第４レンズ１１１〜１１４は、第１および第３レンズ１１１、１１３、第２レンズ１１２、第４レンズ１１４の順に、赤外線吸収レンズとして選定される。
【００１９】
赤外線吸収レンズとは、赤外線を吸収する材料を添加したレンズを示し、赤外線を吸収する機能の付与は、樹脂材料に所定の赤外線吸収材を添加することによって実現されている。前記所定の赤外線吸収材は、例えば、ＢＡＳＦ製のＬｕｍｏｇｅｎ  ＩＲ７６５およびＬｕｍｏｇｅｎ  ＩＲ７８８、Ｅｘｃｉｔｏｎ製のＡＢＳ６４３、ＡＢＳ６５４、ＡＢＳ６６７、ＡＢＳ６７０Ｔ、ＩＲＡ６９３ＮおよびＩＲＡ７３５、Ｈ．Ｗ．ＳＡＮＤＳ製のＳＤＡ３５９８、ＳＤＡ６０７５、ＳＤＡ８０３０、ＳＤＡ８３０３、ＳＤＡ８４７０、ＳＤＡ３０３９、ＳＤＡ３０４０、ＳＤＡ３９２２およびＳＤＡ７２５７、山田化学工業製のＴＡＰ−１５およびＩＲ−７０６、日本カーリット製のＣＩＲ−１０８０およびＣＩＲ−１０８１、山本化成製のＹＫＲ−３０８０およびＹＫＲ−３０８１、日本触媒製のイーエクスカラーＩＲ−１０、ＩＲ−１２およびＩＲ−１４、三井化学ファイン製のＳＩＲ−１２８、ＳＩＲ−１３０、ＳＩＲ−１５９、ＰＡ−１００１、ＰＡ−１００５等を挙げることができる。通常、赤外線吸収材を添加しないレンズは、波長８００ｎｍ〜１０００ｎｍの赤外領域において垂直方向の透過率の平均値が７０％以上を有するが、赤外線吸収材を添加したレンズは、波長８００ｎｍ〜１０００ｎｍの赤外領域において垂直方向の透過率の平均値が２０％以下となる。
【００２０】
なお、図１に示す例では、第１ないし第５レンズ１１１〜１１５は、それぞれ、樹脂材料製レンズであるが、赤外線を吸収する機能を付与し得ない第５レンズ１１５は、例えばガラスモールドレンズであってもよい。
【００２１】
そして、像面への最大像高に対する主光線の光線入射角をα（ｄｅｇ）とし、最大像高をＹとし、無限遠物体時の光学全長をＴＴＬとする場合に、撮像光学系１００は、下記（Ａ２）および（Ａ３）の各条件式をさらに満たしている。
２６＜α≦４５      ・・・（Ａ２）
０．５５≦Ｙ／ＴＴＬ      ・・・（Ａ３）
【００２２】
そして、この撮像光学系１００では、例えば開口絞り等の光学絞り１１８が第１レンズ１１１と第２レンズ１１２との間（第１レンズ１１１の像側）に配置され、撮像光学系１００は、中絞り型である。
【００２３】
さらに、この撮像光学系１００の像側、すなわち、第５レンズ１１５における像側には、撮像素子１１７が配置される。撮像素子１１７は、この撮像光学系１００によって結像された被写体の光学像における光量に応じてＲ（赤）、Ｇ（緑）、Ｂ（青）の各成分の画像信号に光電変換して所定の画像処理回路（不図示）へ出力する素子である。撮像素子１１７は、例えば、ＣＣＤ型イメージセンサやＣＭＯＳ型イメージセンサ等の固体撮像素子である。これらによって物体側の被写体の光学像が、撮像光学系１００によりその光軸ＡＸに沿って所定の倍率で撮像素子１１７の受光面まで導かれ、撮像素子１１７によって前記被写体の光学像が撮像される。なお、第５レンズ１１５と撮像素子１１７との間には、図１に示すようにフィルタ１１６がさらに配置されてもよい。すなわち、被写体の光学像は、フィルタ１１６を介して撮像素子１１７に入射されてもよい。このフィルタ１１６は、平行平板状の光学素子であり、各種光学フィルタや、撮像素子１１７のカバーガラス（シールガラス）等を模式的に表したものである。使用用途、撮像素子１１７、カメラの構成等に応じて、適宜に配置することが可能である。
【００２４】
このような撮像光学系１００は、赤外線を吸収する機能を付与した赤外線吸収レンズを形成する硝材に樹脂材料を用いることで、有機物の赤外線吸収材を利用することができ、前記硝材にガラス材料を用いる場合に較べて赤外線吸収レンズをより薄く形成することができる。
【００２５】
また、低背の撮像光学系では、撮像素子の像面周縁における光線入射角αが通常３０度程度となる。このため、透過する赤外線量に入射角依存性を持つ反射型の赤外線カットフィルタが撮像装置に用いられる場合には、像面周縁における赤外線カット量が不充分となり、画像にいわゆる色むらが生じてしまう。特に、本実施形態における撮像光学系１００は、上述したように条件式（Ａ２）および（Ａ３）を満たし、厳しい光線入射角の条件や光学全長の条件を満たしているため、光線入射角に伴う上記不都合を生じ易い。この対策に、前記反射型の赤外線カットフィルタに代え、吸収型の赤外線カットフィルタを用いることが考えられる。この場合に、ガラス材料を用いると上述の不都合が生じるが、本実施形態における撮像光学系１００では、樹脂材料を用いることで、光線入射角に伴う上記不都合にも対処することができる。そして、吸収型の赤外線カットフィルタでは赤外線吸収量が光路長に比例するが、本実施形態における撮像光学系１００では、条件式（Ａ１）を満たすことで、レンズの有効領域全域で光路長を略均一にすることができ、レンズの有効領域全域で略均一な赤外線吸収量が得られる。この結果、色むらを低減した、もしくは、色むらの無い良好な画像が得られる。すなわち、前記条件式（Ａ１）の下限値を下回る場合や上限値を上回る場合では、レンズの有効領域内で光路長が不均一となって好ましくない。
【００２６】
この観点から、条件式（Ａ１）は、好ましくは、下記条件式（Ａ１Ａ）であり、より好ましくは、下記条件式（Ａ１Ｂ）である。
０．７＜ＯＰｐ／ＯＰｃ＜１．３      ・・・（Ａ１Ａ）
０．８＜ＯＰｐ／ＯＰｃ＜１．２      ・・・（Ａ１Ｂ）
【００２７】
この観点から、条件式（Ａ２）は、より効果的には、下記条件式（Ａ２Ａ）であり、さらにより効果的には、下記条件式（Ａ２Ｂ）である。
２６＜α≦４０      ・・・（Ａ２Ａ）
２６＜α≦３５      ・・・（Ａ２Ｂ）
【００２８】
この観点から、条件式（Ａ３）は、より効果的には、下記条件式（Ａ３Ａ）であり、さらにより効果的には、下記条件式（Ａ３Ｂ）である。
０．６≦Ｙ／ＴＴＬ      ・・・（Ａ３Ａ）
０．６５≦Ｙ／ＴＴＬ      ・・・（Ａ３Ｂ）
【００２９】
なお、このような色むら対策として、前記特許文献１に開示の撮像レンズは、各レンズを通過する光束で画面中心に結像する光軸上の光路長（レンズの心厚）に対し、画面周辺部に結像する光束の主光線の当該レンズ内を通過する光路長との差が±１５％以下になるレンズを、赤外線を吸収するガラス部材で形成している。しかしながら、本実施形態の撮像光学系１００は、前記特許文献１の対策とは異なる、上述のように条件式（Ａ１）で色むらの解決を図っている。
【００３０】
また、この撮像光学系１００は、ＦナンバーをＦＮとし、半画角をｗ（ｄｅｇ）とする場合に、下記（Ａ４）および（Ａ５）の各条件式を満たしている。
ＦＮ≦３      ・・・（Ａ４）
２５≦ｗ≦１００      ・・・（Ａ５）
【００３１】
このような撮像光学系１００は、条件式（Ａ４）を満たすことで、暗い撮像光学系で生じ易いノイズの増加や暗所性能の悪化を回避することができる。また、比較的暗い撮像光学系に赤外線吸収レンズを用いようとすると、赤外線吸収材が限定され、コスト高になってしまうが、条件式（Ａ４）を満たすことで、コスト高を回避し易い。そして、このような撮像光学系１００は、条件式（Ａ５）を満たすことで、このような作用効果が効果的に得ることができる。
【００３２】
この観点から、条件式（Ａ４）は、好ましくは、下記条件式（Ａ４Ａ）であり、より好ましくは、下記条件式（Ａ４Ｂ）である。
ＦＮ≦２．８      ・・・（Ａ４Ａ）
ＦＮ≦２．４      ・・・（Ａ４Ｂ）
【００３３】
この観点から、条件式（Ａ５）は、より効果的には、下記条件式（Ａ５Ａ）であり、さらにより効果的には、下記条件式（Ａ５Ｂ）である。
３０≦ｗ≦６０      ・・・（Ａ５Ａ）
３０≦ｗ≦５０      ・・・（Ａ５Ｂ）
【００３４】
また、この撮像光学系１００は、赤外線吸収材を含んだ樹脂材料製の非球面レンズ（赤外線吸収レンズ）における最大の厚さをＴＤｍａｘとし、この赤外線吸収材を含んだ樹脂材料製の非球面レンズ（赤外線吸収レンズ）における最小の厚さをＴＤｍｉｎとする場合に、前記赤外線吸収材を含んだ樹脂材料製の非球面レンズのうちの少なくとも１枚は、下記（Ａ６）の条件式を満たしている。なお、前記厚さは、光軸と平行な方向の長さである。
１≦ＴＤｍａｘ／ＴＤｍｉｎ＜２．３      ・・・（Ａ６）
【００３５】
このＴＤｍａｘ／ＴＤｍｉｎは、非球面レンズにおける厚さの差を表す指標である。このような撮像光学系１００は、条件式（Ａ６）の下限値を上回ることによって、レンズの各部において厚さに差があっても許容されるから、レンズ形状の自由度が増加し、性能の向上を図ることができる。そして、このような撮像光学系は、条件式（Ａ６）の上限値を下回ることによって、成形性が損なわれることがないため、大きな自由度の下でレンズ形状を設計でき、性能の向上を図ることができる。
【００３６】
この観点から、条件式（Ａ６）は、好ましくは、下記条件式（Ａ６Ａ）であり、より好ましくは、下記条件式（Ａ６Ｂ）である。
１．３＜ＴＤｍａｘ／ＴＤｍｉｎ＜２．２      ・・・（Ａ６Ａ）
１．５＜ＴＤｍａｘ／ＴＤｍｉｎ＜２．１      ・・・（Ａ６Ｂ）
【００３７】
また、この撮像光学系１００は、撮像光学系１００全系の焦点距離をｆとし、赤外線を吸収する樹脂材料製の非球面レンズ（赤外線吸収レンズ）における焦点距離をｆｉｒとする場合に、赤外線吸収材を含んだ樹脂材料製の非球面レンズのうちの少なくとも１枚は、下記（Ａ７）の条件式を満たしている。
０≦｜ｆ／ｆｉｒ｜＜１．５      ・・・（Ａ７）
【００３８】
この｜ｆ／ｆｉｒ｜は、撮像光学系１００全体の屈折力に対し、赤外線吸収レンズが担う屈折力の割合を表している。このような撮像光学系１００は、条件式（Ａ７）を満たすことで、赤外線吸収レンズに過剰な屈折力を与えていないので、赤外線吸収レンズの製造難易度が高い場合でも製造誤差による収差劣化等の性能劣化を抑制することができる。
【００３９】
この観点から、条件式（Ａ７）は、好ましくは、下記条件式（Ａ７Ａ）であり、より好ましくは、下記条件式（Ａ７Ｂ）であり、さらにより好ましくは、下記条件式（Ａ７Ｃ）である。
０．０５＜｜ｆ／ｆｉｒ｜＜１．５      ・・・（Ａ７Ａ）
０．１＜｜ｆ／ｆｉｒ｜＜１．４５      ・・・（Ａ７Ｂ）
０．２＜｜ｆ／ｆｉｒ｜＜１．４      ・・・（Ａ７Ｃ）
【００４０】
また、この撮像光学系１００は、第１ないし第５レンズ１１１〜１１５の５枚構成であり、これら５枚のレンズのうちの２枚のレンズが正の屈折力を有し、これら５枚のレンズのうちの２枚のレンズが負の屈折力を有している。なお、撮像光学系１００は、これに限定されず、複数のレンズは、４枚、５枚および６枚のうちのいずれかの枚数であり、前記複数のレンズのうちの少なくとも２枚のレンズは、正の屈折力を有し、前記複数のレンズのうちの少なくとも２枚のレンズは、負の屈折力を有すればよい。
【００４１】
このような撮像光学系１００は、正の屈折力を有する正レンズと負の屈折力を有する負レンズとをそれぞれ少なくとも２枚ずつ備えることで、各レンズにおける屈折力の負担を分散することができる。このため、このような撮像光学系１００は、赤外線吸収レンズの製造難易度が高い場合でも製造誤差による収差劣化等の性能劣化を抑制することができる。
【００４２】
また、この撮像光学系１００は、上述のように、フィルタ１１６は、省略可能である（あってもなくてもよい）。本実施形態の撮像光学系１００は、赤外線吸収レンズを用いているので、従来に用いていた赤外線カットフィルタを削除することができ、コストダウンを図ることができる。
【００４３】
なお、上述の撮像光学系１００では、５枚構成であるが、これに限定されず、３枚構成、４枚あるいは６枚構成であってもよい。この４枚構成である場合に、第１ないし第４レンズの屈折力は、順に、正負正負であることが好ましく、６枚構成である場合に、第１ないし第６レンズの屈折力は、順に、正（任意）負（任意）正負であることが好ましい。このように正レンズと負レンズとを交互に配置することによって、正レンズで発生した収差を負レンズで効果的に補正することができる。この観点から、５枚構成である場合、第１ないし第５レンズの屈折力は、順に、正負（任意）正負であることが好ましく、上述の撮像光学系１００における第１ないし第５レンズ１１１〜１１５の屈折力は、順に、正負正正負となっている。なお、前記複数のレンズは、５枚以上であることが好ましい。このような構成では、諸収差を補正することができ、高画素化および明るいＦナンバーを実現することができるようになる。
【００４４】
また、これら上述の撮像光学系１００において、前記複数のレンズのうちの最も像側に配置されるレンズ、図１に示す例では第５レンズ１１５は、例えばフォーカシング（合焦）の際でも、固定されていることが好ましい。このような撮像光学系１００は、最像側のレンズが固定であるので、この固定レンズによって撮像素子１１７を封止することができるから、例えばゴミの付着を防止するための、撮像素子１１７の封止用部材（いわゆるカバーガラス）を削減することができる。このため、このような撮像光学系１００は、より低背化を図ることができる。
【００４５】
＜第２実施形態の撮像光学系の説明＞
図３は、第２実施形態における撮像光学系の説明のための、その構成を模式的に示したレンズ断面図である。図３において、この撮像光学系２００は、光学像を電気的な信号に変換する撮像素子２１７の受光面上に、物体（被写体）の光学像を結像させて形成するものであって、物体側より像側へ順に、複数のレンズから構成されて成る光学系である。図３に示す例では、撮像光学系２００は、第１ないし第５レンズ２１１〜２１５の５枚のレンズから成る。撮像素子２１７は、その受光面が撮像光学系２００の像面と略一致するように配置される（像面＝撮像面）。
【００４６】
そして、この撮像光学系２００では、第１ないし第５レンズ２１１〜２１５が全玉繰り出しで光軸方向に移動することによってフォーカシングが行われる。
【００４７】
さらに、この撮像光学系２００では、第１レンズ２１１は、正の屈折力を有し、第２レンズ２１２は、負の屈折力を有し、これら第１および第２レンズ２１１、２１２のうちの少なくとも１枚のレンズは、赤外線を吸収する赤外線吸収材を含んだ樹脂材料製の非球面レンズである。
【００４８】
より具体的には、図３に示す例では、第１レンズ２１１は、正の屈折力を有し、両面が凸形状である両凸の正レンズであり、第２レンズ２１２は、負の屈折力を有し、像側に凹である負メニスカスレンズであり、第３レンズ２１３は、正の屈折力を有し、物体側に凸である正メニスカスレンズであり、第４レンズ２１４は、正の屈折力を有し、像側に凸である正メニスカスレンズであり、そして、第５レンズ２１５は、負の屈折力を有し、像側に凹である負メニスカスレンズである。このように撮像光学系２００では、その第１ないし第５レンズ２１１〜２１５の屈折力は、正負正正負である。
【００４９】
第１ないし第５レンズ２１１〜２１５は、それぞれ、両面が非球面であり、そして、例えばプラスチック、より具体的にはポリカーボネートや環状オレフィン系樹脂等の樹脂材料で形成された樹脂材料製レンズである。また、赤外線吸収レンズとは、赤外線を吸収する材料を添加したレンズを示し、赤外線を吸収する機能の付与は、樹脂材料に所定の赤外線吸収材を添加することによって実現されている。前記所定の赤外線吸収材は、例えば、上述の材料を挙げることができる。通常、赤外線吸収材を添加しないレンズは、波長８００ｎｍ〜１０００ｎｍの赤外領域において垂直方向の透過率の平均値が７０％以上を有するが、赤外線吸収材を添加したレンズは、波長８００ｎｍ〜１０００ｎｍの赤外領域において垂直方向の透過率の平均値が２０％以下となる。
【００５０】
なお、図３に示す例では、第１ないし第５レンズ２１１〜２１５は、それぞれ、樹脂材料製レンズであるが、赤外線を吸収する機能を付与し得ない第３ないし第５レンズ２１３〜２１５は、例えばガラスモールドレンズであってもよい。
【００５１】
この撮像光学系２００では、例えば開口絞り等の光学絞り２１８が第１レンズ２１１と第２レンズ２１２との間（第１レンズ２１１の像側）に配置され、撮像光学系２００は、中絞り型である。
【００５２】
そして、撮像光学系２００全系の焦点距離をｆとし、前記赤外線を吸収する樹脂材料製の非球面レンズにおける焦点距離をｆｉｒとし、開口絞りから、前記赤外線を吸収する樹脂材料製の非球面レンズにおける物体側面までの光軸上での光路長をＤｉｒとし、無限遠物体時の光学全長をＴＴＬとし、ＦナンバーをＦＮとし、半画角をｗ（ｄｅｇ）とし、そして、像面への最大像高に対応する主光線の光線入射角をα（ｄｅｇ）とする場合に、撮像光学系２００は、前記赤外線吸収材料を含んだレンズのうちの少なくとも１枚は、下記（Ｂ１）ないし（Ｂ５）の各条件式を満たしている。
０．５≦｜ｆ／ｆｉｒ｜＜１．５      ・・・（Ｂ１）
０≦｜Ｄｉｒ／ＴＴＬ｜＜０．２      ・・・（Ｂ２）
ＦＮ≦３      ・・・（Ｂ３）
２５≦ｗ≦１００      ・・・（Ｂ４）
２５＜α≦４５      ・・・（Ｂ５）
【００５３】
さらに、この撮像光学系２００の像側、すなわち、第５レンズ２１５における像側には、撮像素子２１７が配置される。撮像素子２１７は、この撮像光学系２００によって結像された被写体の光学像における光量に応じてＲ（赤）、Ｇ（緑）、Ｂ（青）の各成分の画像信号に光電変換して所定の画像処理回路（不図示）へ出力する素子である。撮像素子２１７は、例えば、ＣＣＤ型イメージセンサやＣＭＯＳ型イメージセンサ等の固体撮像素子である。これらによって物体側の被写体の光学像が、撮像光学系２００によりその光軸ＡＸに沿って所定の倍率で撮像素子２１７の受光面まで導かれ、撮像素子２１７によって前記被写体の光学像が撮像される。なお、第５レンズ２１５と撮像素子２１７との間には、図３に示すようにフィルタ２１６がさらに配置されてもよい。すなわち、被写体の光学像は、フィルタ２１６を介して撮像素子２１７に入射されてもよい。このフィルタ２１６は、平行平板状の光学素子であり、各種光学フィルタや、撮像素子２１７のカバーガラス（シールガラス）等を模式的に表したものである。使用用途、撮像素子２１７、カメラの構成等に応じて、適宜に配置することが可能である。
【００５４】
このような撮像光学系２００は、赤外線を吸収する機能を付与した赤外線吸収レンズを形成する硝材に樹脂材料を用いることで、有機物の赤外線吸収材を利用することができ、前記硝材にガラス材料を用いる場合に較べて赤外線吸収レンズをより薄く形成することができる。
【００５５】
また、第１レンズ２１１が正の屈折力を有し、第２レンズ２１２が負の屈折力を有することで、全長短縮を可能としながら、諸収差を良好に補正することができる。このような低背の撮像光学系では、撮像素子の像面周縁における光線入射角（ＣＲＡ）が通常３０度程度となる。このため、透過する赤外線量に入射角依存性を持つ反射型の赤外線カットフィルタが撮像装置に用いられる場合には、像面周縁における赤外線カット量が不充分となり、画像にいわゆる色むらが生じてしまう。特に、本実施形態にかかる撮像光学系２００は、条件式（Ｂ４）および（Ｂ５）を満たし、厳しい光線入射角等の条件を満たしているため、光線入射角に伴う上記不都合を生じ易い。さらに、比較的暗い撮像光学系に赤外線吸収レンズを用いようとすると、赤外線吸収材が限定され、コスト高になってしまい、また、ノイズの増加や暗所性能の悪化を招いてしまう。そこで、本実施形態における撮像光学系２００では、大口径でも高性能化を図ることができる５枚レンズ構成において、条件式（Ｂ２）を満たすことで、絞りに近い位置に配置され、軸上光と軸外光との光束径が略同等の第１および第２レンズのうちの少なくとも１枚のレンズが赤外線吸収レンズとされるので、トータルな光量を確保しつつ、光線入射角に伴う上記不都合を回避することができる。そして、この撮像光学系２００は、条件式（Ｂ３）を満たすことで、コスト高を回避し易く、暗い撮像光学系で生じ易いノイズの増加や暗所性能の悪化を回避することができる。さらに、光学絞りに近い位置に赤外線吸収レンズを配置することによって、像面での画面全域で光路差を略均一にすることができ、比較的大きな屈折力（光学的パワー）をこのレンズに付与することが可能となる。そして、この撮像光学系２００では、条件式（Ｂ１）の下限値を上回ることによって、赤外線吸収レンズの屈折力が弱くなり過ぎず、全系の光学全長を短縮化することができる。一方、条件式（Ｂ１）の上限値を下回ることによって、過剰な屈折力を赤外線吸収レンズに付与することを防止し、過剰な屈折力による諸収差の発生による光学性能の低下を防止することができる。
【００５６】
この観点から、条件式（Ｂ１）は、好ましくは、下記条件式（Ｂ１Ａ）であり、より好ましくは、下記条件式（Ｂ１Ｂ）である。
０．７＜｜ｆ／ｆｉｒ｜＜１．４５      ・・・（Ｂ１Ａ）
０．８＜｜ｆ／ｆｉｒ｜＜１．４      ・・・（Ｂ１Ｂ）
【００５７】
この観点から、条件式（Ｂ２）は、好ましくは、下記条件式（Ｂ２Ａ）であり、より好ましくは、下記条件式（Ｂ２Ｂ）である。
０≦｜Ｄｉｒ／ＴＴＬ｜＜０．１５      ・・・（Ｂ２Ａ）
０≦｜Ｄｉｒ／ＴＴＬ｜＜０．１４      ・・・（Ｂ２Ｂ）
【００５８】
この観点から、条件式（Ｂ３）は、好ましくは、下記条件式（Ｂ３Ａ）であり、より好ましくは、下記条件式（Ｂ３Ｂ）である。
ＦＮ≦２．８      ・・・（Ｂ３Ａ）
ＦＮ≦２．４      ・・・（Ｂ３Ｂ）
【００５９】
この観点から、条件式（Ｂ４）は、より効果的には、下記条件式（Ｂ４Ａ）であり、さらにより効果的には、下記条件式（Ｂ４Ｂ）である。
３０≦ｗ≦６０      ・・・（Ｂ４Ａ）
３０≦ｗ≦５０      ・・・（Ｂ４Ｂ）
【００６０】
この観点から、条件式（Ｂ５）は、より効果的には、下記条件式（Ｂ５Ａ）であり、さらにより効果的には、下記条件式（Ｂ５Ｂ）である。
２５＜α≦４０      ・・・（Ｂ５Ａ）
２５＜α≦３５      ・・・（Ｂ５Ｂ）
【００６１】
なお、上記色むら対策として、前記特許文献１に開示の撮像レンズは、各レンズを通過する光束で画面中心に結像する光軸上の光路長（レンズの心厚）に対し、画面周辺部に結像する光束の主光線の当該レンズ内を通過する光路長との差が±１５％以下になるレンズを、赤外線を吸収するガラス部材で形成している。しかしながら、本実施形態の撮像光学系２００は、前記特許文献１の対策とは異なる、上述のように条件式（Ｂ２）で色むらの解決を主に図っている。
【００６２】
また、この撮像光学系２００は、赤外線吸収材を含んだ樹脂材料製の非球面レンズ（赤外線吸収レンズ）における最大の厚さをＴＤｍａｘとし、この赤外線吸収材を含んだ樹脂材料製の非球面レンズ（赤外線吸収レンズ）における最小の厚さをＴＤｍｉｎとする場合に、赤外線吸収材を含んだ樹脂材料製の非球面レンズの少なくとも１枚は、下記（Ｂ６）の条件式を満たしている。なお、前記厚さは、光軸と平行な方向の長さである。
１≦ＴＤｍａｘ／ＴＤｍｉｎ＜２．３      ・・・（Ｂ６）
【００６３】
このＴＤｍａｘ／ＴＤｍｉｎは、非球面レンズにおける厚さの差を表す指標である。このような撮像光学系２００は、条件式（Ｂ６）の下限値を上回ることによって、レンズの各部において厚さに差があっても許容されるから、レンズ形状の自由度が増加し、性能の向上を図ることができる。そして、このような撮像光学系は、条件式（Ｂ６）の上限値を下回ることによって、成形性が損なわれることがないため、大きな自由度の下でレンズ形状を設計でき、性能の向上を図ることができる。
【００６４】
この観点から、条件式（Ｂ６）は、好ましくは、下記条件式（Ｂ６Ａ）であり、より好ましくは、下記条件式（Ｂ６Ｂ）である。
１．３＜ＴＤｍａｘ／ＴＤｍｉｎ＜２．２      ・・・（Ｂ６Ａ）
１．５＜ＴＤｍａｘ／ＴＤｍｉｎ＜２．１      ・・・（Ｂ６Ｂ）
【００６５】
また、この撮像光学系２００は、赤外線吸収材を含んだ樹脂材料製の非球面レンズにおける８割像高での光路長をＯＰｐとし、赤外線吸収材を含んだ樹脂材料製の非球面レンズにおける光軸上での光路長をＯＰｃとする場合に、下記（Ｂ７）の条件式を満たしている。
０．７＜ＯＰｐ／ＯＰｃ＜１．３      ・・・（Ｂ７）
【００６６】
吸収型の赤外線カットフィルタでは赤外線吸収量が光路長に比例するが、この撮像光学系２００では、条件式（Ｂ７）を満たすことで、レンズの有効領域全域で光路長を略均一にすることができ、レンズの有効領域全域で略均一な赤外線吸収量が得られる。この結果、色むらを低減した、もしくは、色むらの無い良好な画像が得られる。すなわち、前記条件式（Ｂ７）の下限値を下回る場合や上限値を上回る場合では、レンズの有効領域内で光路長が不均一となって好ましくない。
【００６７】
この観点から、条件式（Ｂ７）は、好ましくは、下記条件式（Ｂ７Ａ）であり、より好ましくは、下記条件式（Ｂ７Ｂ）である。
０．９＜ＯＰｐ／ＯＰｃ＜１．２      ・・・（Ｂ７Ａ）
１＜ＯＰｐ／ＯＰｃ＜１．２      ・・・（Ｂ７Ｂ）
【００６８】
なお、より光路長を均一化するために、赤外線を吸収する機能を付与するレンズは、ＯＰｐ／ＯＰｃの値が１に近い順に選定することが好ましい。この図３に示す例では、第１および第２レンズ２１１、２１２におけるＯＰｐ／ＯＰｃの各値は、順に、１．０５、１．１０である。したがって、この例では、第１および第２レンズ２１１、２１２は、第１レンズ２１１、第２レンズ２１２の順に、赤外線吸収レンズとして選定される。
【００６９】
また、この撮像光学系２００は、第１ないし第５レンズ２１１〜２１５の５枚構成であり、これら５枚のレンズのうちの２枚のレンズが正の屈折力を有し、これら５枚のレンズのうちの２枚のレンズが負の屈折力を有している。
【００７０】
このような撮像光学系２００は、正の屈折力を有する正レンズと負の屈折力を有する負レンズとをそれぞれ２枚ずつ備えることで、各レンズにおける屈折力の負担を分散することができる。このため、このような撮像光学系２００は、赤外線吸収レンズの製造難易度が高い場合でも製造誤差による収差劣化等の性能劣化を抑制することができる。
【００７１】
また、この撮像光学系２００は、上述のように、赤外線カットフィルタとしてのフィルタ２１６は、省略可能である（あってもなくてもよい）。撮像光学系２００がフィルタ２１６を備える場合には、このフィルタ２１６は、例えば撮像素子２１７のカバーガラスとしての平行平板である。本実施形態の撮像光学系２００は、赤外線吸収レンズを用いているので、従来に用いていた赤外線カットフィルタを削除することができ、コストダウンを図ることができる。
【００７２】
なお、これら上述の撮像光学系２００において、前記赤外線吸収材を含んだ樹脂材料製の非球面レンズは、１枚であることが好ましい。２枚以上のレンズを赤外線吸収レンズとすると、これら赤外線吸収レンズ間における相対位置が設計よりずれた場合に設計通りの所望の赤外線吸収特性が得られず、赤外線吸収量にムラ（設計値からのずれ）が生じてしまう。このため、このような撮像光学系２００は、赤外線吸収レンズが１枚であるので、製造難易度を下げることができる。
【００７３】
また、これら上述の撮像光学系において、可視光域（波長４００ｎｍ〜７００ｎｍ）での平均透過率（％）をＴｒとする場合に、下記（Ｂ８）の条件式をさらに満たすことが好ましい。このような撮像光学系は、条件式（Ｂ８）を満たすことで、条件式（Ｂ１）ないし（Ｂ５）の条件の下における上述の作用効果を効果的に得ることができる。
８０＜Ｔｒ＜９０      ・・・（Ｂ８）
【００７４】
また、これら上述の撮像光学系２００において、前記複数のレンズのうちの最も像側に配置されるレンズ、図１に示す例では第５レンズ２１５は、例えばフォーカシング（合焦）の際でも、固定されていることが好ましい。このような撮像光学系２００は、最像側のレンズが固定であるので、この固定レンズによって撮像素子２１７を封止することができるから、例えばゴミの付着を防止するための、撮像素子２１７の封止用部材（いわゆるカバーガラス）を削減することができる。このため、このような撮像光学系２００は、より低背化を図ることができる。
【００７５】
＜第３実施形態の撮像光学系の説明＞
図４は、第３実施形態における撮像光学系の説明のための、その構成を模式的に示したレンズ断面図である。図４において、この撮像光学系３００は、光学像を電気的な信号に変換する撮像素子３１７の受光面上に、物体（被写体）の光学像を結像させて形成するものであって、物体側より像側へ順に、複数のレンズから構成されて成る光学系である。図４に示す例では、撮像光学系３００は、第１ないし第５レンズ３１１〜３１５の５枚のレンズから成る。撮像素子３１７は、その受光面が撮像光学系３００の像面と略一致するように配置される（像面＝撮像面）。
【００７６】
そして、この撮像光学系３００では、第１ないし第５レンズ３１１〜３１５が全玉繰り出しで光軸方向に移動することによってフォーカシングが行われる。
【００７７】
さらに、この撮像光学系３００では、第１レンズ３１１は、正の屈折力を有し、第２レンズ３１２は、負の屈折力を有し、第３ないし第５レンズ３１３〜３１５のうちの少なくとも１枚のレンズは、赤外線を吸収する赤外線吸収材を含んだ樹脂材料製の非球面レンズである。
【００７８】
より具体的には、図４に示す例では、第１レンズ３１１は、正の屈折力を有し、両面が凸形状である両凸の正レンズであり、第２レンズ３１２は、負の屈折力を有し、像側に凹である負メニスカスレンズであり、第３レンズ３１３は、正の屈折力を有し、物体側に凸である正メニスカスレンズであり、第４レンズ３１４は、正の屈折力を有し、像側に凸である正メニスカスレンズであり、そして、第５レンズ３１５は、負の屈折力を有し、像側に凹である負メニスカスレンズである。このように撮像光学系３００では、その第１ないし第５レンズ３１１〜３１５の屈折力は、正負正正負である。
【００７９】
第１ないし第５レンズ３１１〜３１５は、それぞれ、両面が非球面であり、そして、例えばプラスチック、より具体的にはポリカーボネートや環状オレフィン系樹脂等の樹脂材料で形成された樹脂材料製レンズである。また、赤外線吸収レンズとは、赤外線を吸収する材料を添加したレンズを示し、赤外線を吸収する機能の付与は、樹脂材料に所定の赤外線吸収材を添加することによって実現されている。前記所定の赤外線吸収材は、例えば、上述の材料を挙げることができる。通常、赤外線吸収材を添加しないレンズは、波長８００ｎｍ〜１０００ｎｍの赤外領域において垂直方向の透過率の平均値が７０％以上を有するが、赤外線吸収材を添加したレンズは、波長８００ｎｍ〜１０００ｎｍの赤外領域において垂直方向の透過率の平均値が２０％以下となる。
【００８０】
なお、図４に示す例では、第１ないし第５レンズ３１１〜３１５は、それぞれ、樹脂材料製レンズであるが、赤外線を吸収する機能を付与し得ない第１および第２レンズ３１１、３１２は、例えばガラスモールドレンズであってもよい。
【００８１】
この撮像光学系３００では、例えば開口絞り等の光学絞り３１８が第１レンズ３１１と第２レンズ３１２との間（第１レンズ３１１の像側）に配置され、撮像光学系３００は、中絞り型である。
【００８２】
そして、撮像光学系３００全系の焦点距離をｆとし、前記赤外線を吸収する樹脂材料製の非球面レンズにおける焦点距離をｆｉｒとし、ＦナンバーをＦＮとし、半画角をｗ（ｄｅｇ）とし、そして、像面への最大像高に対応する主光線の光線入射角をα（ｄｅｇ）とする場合に、撮像光学系３００では、前記赤外線を吸収する赤外線吸収材を含んだレンズのうちの少なくとも１枚は、下記（Ｃ１）ないし（Ｃ４）の各条件式を満たしている。
０≦｜ｆ／ｆｉｒ｜＜０．５      ・・・（Ｃ１）
ＦＮ≦３      ・・・（Ｃ２）
２５≦ｗ≦１００      ・・・（Ｃ３）
２５＜α≦４５      ・・・（Ｃ４）
【００８３】
さらに、この撮像光学系３００の像側、すなわち、第５レンズ３１５における像側には、撮像素子３１７が配置される。撮像素子３１７は、この撮像光学系３００によって結像された被写体の光学像における光量に応じてＲ（赤）、Ｇ（緑）、Ｂ（青）の各成分の画像信号に光電変換して所定の画像処理回路（不図示）へ出力する素子である。撮像素子３１７は、例えば、ＣＣＤ型イメージセンサやＣＭＯＳ型イメージセンサ等の固体撮像素子である。これらによって物体側の被写体の光学像が、撮像光学系３００によりその光軸ＡＸに沿って所定の倍率で撮像素子３１７の受光面まで導かれ、撮像素子３１７によって前記被写体の光学像が撮像される。なお、第５レンズ３１５と撮像素子３１７との間には、図４に示すようにフィルタ３１６がさらに配置されてもよい。すなわち、被写体の光学像は、フィルタ３１６を介して撮像素子３１７に入射されてもよい。このフィルタ３１６は、平行平板状の光学素子であり、各種光学フィルタや、撮像素子３１７のカバーガラス（シールガラス）等を模式的に表したものである。使用用途、撮像素子３１７、カメラの構成等に応じて、適宜に配置することが可能である。
【００８４】
このような撮像光学系３００は、赤外線を吸収する機能を付与した赤外線吸収レンズを形成する硝材に樹脂材料を用いることで、有機物の赤外線吸収材を利用することができ、前記硝材にガラス材料を用いる場合に較べて赤外線吸収レンズをより薄く形成することができる。
【００８５】
また、第１レンズ３１１が正の屈折力を有し、第２レンズ３１２が負の屈折力を有することで、全長短縮を可能としながら、諸収差を良好に補正することができる。このような低背の撮像光学系では、撮像素子の像面周縁における光線入射角（ＣＲＡ）が通常３０度程度となる。このため、透過する赤外線量に入射角依存性を持つ反射型の赤外線カットフィルタが撮像装置に用いられる場合には、像面周縁における赤外線カット量が不充分となり、画像にいわゆる色むらが生じてしまう。特に、本実施形態における撮像光学系３００は、条件式（Ｃ３）および（Ｃ４）を満たし、厳しい光線入射角等の条件を満たしているため、光線入射角に伴う上記不都合を生じ易い。さらに、比較的暗い撮像光学系に赤外線吸収レンズを用いようとすると、赤外線吸収材が限定され、コスト高になってしまい、また、ノイズの増加や暗所性能の悪化を招いてしまう。そこで、本実施形態における撮像光学系３００では、大口径でも高性能化を図ることができる５枚レンズ構成において、条件式（Ｃ１）を満たすことで、偏肉比が比較的小さく、軸上光と軸外光との光路長が略同等の第３ないし第５レンズ３１３〜３１５のうちの少なくとも１枚のレンズが赤外線吸収レンズとされるので、トータルな光量を確保しつつ、光線入射角に伴う上記不都合を回避することができる。そして、このような撮像光学系３００は、条件式（Ｃ２）を満たすことで、コスト高を回避し易く、暗い撮像光学系で生じ易いノイズの増加や暗所性能の悪化を回避することができる。
【００８６】
この観点から、条件式（Ｃ１）は、好ましくは、下記条件式（Ｃ１Ａ）であり、より好ましくは、下記条件式（Ｃ１Ｂ）である。
０．０５＜｜ｆ／ｆｉｒ｜＜０．４      ・・・（Ｃ１Ａ）
０．１＜｜ｆ／ｆｉｒ｜＜０．３５      ・・・（Ｃ１Ｂ）
【００８７】
この観点から、条件式（Ｃ２）は、好ましくは、下記条件式（Ｃ２Ａ）であり、より好ましくは、下記条件式（Ｃ２Ｂ）である。
ＦＮ≦２．８      ・・・（Ｃ２Ａ）
ＦＮ≦２．４      ・・・（Ｃ２Ｂ）
【００８８】
この観点から、条件式（Ｃ３）は、より効果的には、下記条件式（Ｃ３Ａ）であり、さらにより効果的には、下記条件式（Ｃ３Ｂ）である。
３０≦ｗ≦６０      ・・・（Ｃ３Ａ）
３０≦ｗ≦５０      ・・・（Ｃ３Ｂ）
【００８９】
この観点から、条件式（Ｃ４）は、より効果的には、下記条件式（Ｃ４Ａ）であり、さらにより効果的には、下記条件式（Ｃ４Ｂ）である。
２５＜α≦４０      ・・・（Ｃ４Ａ）
２５＜α≦３５      ・・・（Ｃ４Ｂ）
【００９０】
なお、上記色むら対策として、前記特許文献１に開示の撮像レンズは、各レンズを通過する光束で画面中心に結像する光軸上の光路長（レンズの心厚）に対し、画面周辺部に結像する光束の主光線の当該レンズ内を通過する光路長との差が±１５％以下になるレンズを、赤外線を吸収するガラス部材で形成している。しかしながら、本実施形態の撮像光学系３００は、前記特許文献１の対策とは異なる、上述のように条件式（Ｃ１）で色むらの解決を主に図っている。
【００９１】
また、この撮像光学系３００は、赤外線吸収材を含んだ樹脂材料製の非球面レンズ（赤外線吸収レンズ）における最大の厚さをＴＤｍａｘとし、この赤外線吸収材を含んだ樹脂材料製の非球面レンズ（赤外線吸収レンズ）における最小の厚さをＴＤｍｉｎとする場合に、赤外線吸収材を含んだ樹脂材料製の非球面レンズのうちの少なくとも１枚は、下記（Ｃ５）の条件式を満たしている。なお、前記厚さは、光軸と平行な方向の長さである。
１＜ＴＤｍａｘ／ＴＤｍｉｎ＜１．７５      ・・・（Ｃ５）
【００９２】
このＴＤｍａｘ／ＴＤｍｉｎは、非球面レンズにおける厚さの差を表す指標である。このような撮像光学系３００は、条件式（Ｃ５）の下限値を上回ることによって、レンズの各部において厚さに差があっても許容されるから、レンズ形状の自由度が増加し、性能の向上を図ることができる。そして、このような撮像光学系３００は、条件式（Ｃ５）の上限値を下回ることによって、成形性が損なわれることがないため、大きな自由度の下でレンズ形状を設計でき、性能の向上を図ることができる。
【００９３】
この観点から、条件式（Ｃ５）は、好ましくは、下記条件式（Ｃ５Ａ）であり、より好ましくは、下記条件式（Ｃ５Ｂ）である。
１＜ＴＤｍａｘ／ＴＤｍｉｎ＜１．７２      ・・・（Ｃ５Ａ）
１＜ＴＤｍａｘ／ＴＤｍｉｎ＜１．５      ・・・（Ｃ５Ｂ）
【００９４】
また、この撮像光学系３００は、赤外線吸収材を含んだ樹脂材料製の非球面レンズにおける８割像高での光路長をＯＰｐとし、赤外線吸収材を含んだ樹脂材料製の非球面レンズにおける光軸上での光路長をＯＰｃとする場合に、下記（Ｃ６）の条件式を満たしている。
０．７＜ＯＰｐ／ＯＰｃ＜１．３      ・・・（Ｃ６）
【００９５】
吸収型の赤外線カットフィルタでは赤外線吸収量が光路長に比例するが、この撮像光学系３００では、条件式（Ｃ６）を満たすことで、レンズの有効領域全域で光路長を略均一にすることができ、レンズの有効領域全域で略均一な赤外線吸収量が得られる。この結果、色むらを低減した、もしくは、色むらの無い良好な画像が得られる。すなわち、前記条件式（Ｃ６）の下限値を下回る場合や上限値を上回る場合では、レンズの有効領域内で光路長が不均一となって好ましくない。
【００９６】
この観点から、条件式（Ｃ６）は、好ましくは、下記条件式（Ｃ６Ａ）であり、より好ましくは、下記条件式（Ｃ６Ｂ）である。
０．８＜ＯＰｐ／ＯＰｃ＜１．２      ・・・（Ｃ６Ａ）
０．９＜ＯＰｐ／ＯＰｃ＜１．１      ・・・（Ｃ６Ｂ）
【００９７】
なお、より光路長を均一化するために、赤外線を吸収する機能を付与するレンズは、ＯＰｐ／ＯＰｃの値が１に近い順に選定することが好ましい。後述の実施例２の撮像光学系１Ｂでは、第３ないし第５レンズＬ３〜Ｌ５におけるＯＰｐ／ＯＰｃの各値は、順に、１．００、１．１６、１．２８である。したがって、この例では、第３ないし第５レンズＬ３〜Ｌ５は、第３レンズＬ３、第４レンズＬ４、第５レンズＬ５の順に、赤外線吸収レンズとして選定される。
【００９８】
また、この撮像光学系３００は、第１ないし第５レンズ３１１〜３１５の５枚構成であり、これら５枚のレンズのうちの２枚のレンズが正の屈折力を有し、これら５枚のレンズのうちの２枚のレンズが負の屈折力を有している。
【００９９】
このような撮像光学系３００は、正の屈折力を有する正レンズと負の屈折力を有する負レンズとをそれぞれ２枚ずつ備えることで、各レンズにおける屈折力の負担を分散することができる。このため、このような撮像光学系３００は、赤外線吸収レンズの製造難易度が高い場合でも製造誤差による収差劣化等の性能劣化を抑制することができる。
【０１００】
また、この撮像光学系３００は、上述のように、フィルタ３１６は、省略可能である（あってもなくてもよい）。撮像光学系３００がフィルタ３１６を備える場合には、このフィルタ３１６は、例えば撮像素子３１７のカバーガラスとしての平行平板である。本実施形態の撮像光学系３００は、赤外線吸収レンズを用いているので、従来に用いていた赤外線カットフィルタを削除することができ、コストダウンを図ることができる。
【０１０１】
なお、これら上述の撮像光学系３００において、第３レンズ３１３は、有効領域内であって中心から前記有効領域の半分より外側の領域に像側に凹形状を有することが好ましい。通常、光線入射角は、撮像素子３１７の像面における画面中心部に比して周辺部が大きくなる。このような撮像光学系３００では、第３レンズ３１３が有効領域内であって中心から前記有効領域の半分より外側の領域に像側に凹形状を有することので、この部分の厚さを中心部に比して薄くすることができる。このため、このような撮像光学系３００は、光線入射角が大きくなっても光路長を画面全体で略均一にすることができる。
【０１０２】
また、これら上述の撮像光学系において、可視光域（波長４００ｎｍ〜７００ｎｍ）での平均透過率（％）をＴｒとする場合に、下記（Ｃ７）の条件式をさらに満たすことが好ましい。このような撮像光学系は、条件式（Ｃ７）を満たすことで、条件式（Ｃ１）ないし（Ｃ４）の条件の下における上述の作用効果を効果的に得ることができる。
８０＜Ｔｒ＜９０      ・・・（Ｃ７）
【０１０３】
また、これら上述の撮像光学系３００において、前記赤外線吸収材を含んだ樹脂材料製の非球面レンズは、１枚であることが好ましい。２枚以上のレンズを赤外線吸収レンズとすると、これら赤外線吸収レンズ間における相対位置が設計よりずれた場合に設計通りの所望の赤外線吸収特性が得られず、赤外線吸収量にムラ（設計値からのずれ）が生じてしまう。このため、このような撮像光学系３００は、赤外線吸収レンズが１枚であるので、製造難易度を下げることができる。
【０１０４】
また、これら上述の撮像光学系３００において、前記複数のレンズのうちの最も像側に配置されるレンズ、図１に示す例では第５レンズ３１５は、例えばフォーカシング（合焦）の際でも、固定されていることが好ましい。このような撮像光学系３００は、最像側のレンズが固定であるので、この固定レンズによって撮像素子３１７を封止することができるから、例えばゴミの付着を防止するための、撮像素子３１７の封止用部材（いわゆるカバーガラス）を削減することができる。このため、このような撮像光学系３００は、より低背化を図ることができる。
【０１０５】
なお、これら上述の第１ないし第３撮像光学系１００、２００、３００（上述の各変形形態も含む）において、前記複数のレンズのうちの少なくとも１枚のレンズは、レンズ面に形成された、４００ｎｍ以下の波長域ならびに７００ｎｍ以上の波長域における各透過率を抑制するコーティング層を備えることが好ましい。このような撮像光学系１００、２００、３００は、赤外線吸収レンズによって所望の赤外線カット特性（各波長における赤外線カット量）を得られない場合に、前記コーティング層によって赤外線カット特性の不足分を補償することができ、撮像光学系１００、２００、３００における所望の赤外線カット特性を得ることができる。
【０１０６】
また、これら上述の第１ないし第３撮像光学系１００、２００、３００（上述の各変形形態も含む）において、赤外線吸収レンズは、図５に示すように、表面に形成された、反射を防止するための微細な凹凸構造体ＡＲをさらに有していてもよい。赤外線吸収材を添加すると、反射防止膜の密着性が低下する場合がある。このような場合では、反射防止膜が剥がれ易くなるため、その信頼性が低下してしまう。このため、図５に示すように、赤外線吸収レンズの光学面に微細な凹凸加工を施すことによって、凹凸構造体ＡＲをレンズ表面に形成することで、このような撮像光学系１００、２００、３００は、反射防止機能と信頼性とを両立することができる。なお、前記反射防止構造体の前記凹凸形状の深さは、約５０ｎｍ以上約１０００ｎｍ以下であることが好ましい。また、前記反射防止構造体の製造方法は、例えば、成形されたレンズ面にマスクパターンを形成するパターニング工程と、前記レンズ面にイオンビームによるエッチングによって反射防止構造体を形成するエッチング工程とを備えることが好ましい。
【０１０７】
＜撮像光学系を組み込んだデジタル機器の説明＞
次に、撮像光学系を組み込んだデジタル機器について説明する。このデジタル機器には、上述の第１撮像光学系１００が組み込まれてもよく、また、上述の第２撮像光学系２００が組み込まれてもよく、また、上述の第３撮像光学系３００が組み込まれてもよい。
【０１０８】
図６は、第４実施形態におけるデジタル機器の構成を示すブロック図である。デジタル機器３は、例えば、図６に示すように、撮像機能のために、撮像部３０、画像生成部３１、画像データバッファ３２、画像処理部３３、駆動部３４、制御部３５、記憶部３６およびインタフェース部（Ｉ／Ｆ部）３７を備える。デジタル機器３として、例えば、デジタルスチルカメラ、ビデオカメラ、監視カメラ（モニタカメラ）、携帯電話機や携帯情報端末（ＰＤＡ）等の携帯端末、パーソナルコンピュータおよびモバイルコンピュータが挙げられ、これらの周辺機器（例えば、マウス、スキャナおよびプリンタなど）が含まれてもよい。特に、第１ないし第３実施形態の撮像光学系１００、２００、３００は、携帯電話機や携帯情報端末（ＰＤＡ）等の携帯端末に搭載する上で充分にコンパクト化および低背化されており、この携帯端末に好適に搭載される。
【０１０９】
撮像部３０は、撮像装置２１の一例であり、撮像レンズとして機能する図１に示したような撮像光学系１００と、撮像素子１１７と、前記撮像光学系１に含まれる、光軸方向にフォーカスのためのレンズを駆動してフォーカシングを行うための図略のレンズ駆動装置等とを備えて構成される。撮像部３０には、前記撮像光学系１００に代え、撮像レンズとして機能する図２に示したような撮像光学系２００が含まれてもよく、また、前記撮像光学系１００に代え、撮像レンズとして機能する図３に示したような撮像光学系３００が含まれてもよい。以下、代表して、撮像部３０には、前記撮像光学系１００が含まれる場合につて説明するが、前記撮像光学系１００に代え、撮像光学系２００が含まれる場合も、同様であり、また、前記撮像光学系１００に代え、撮像光学系３００が含まれる場合も、同様である。被写体からの光線は、撮像光学系１００によって撮像素子１１７の受光面上に結像され、被写体の光学像となる。
【０１１０】
撮像素子１１７は、上述したように、撮像光学系１００により結像された被写体の光学像をＲ，Ｇ，Ｂの色成分の電気信号（画像信号）に変換し、Ｒ，Ｇ，Ｂ各色の画像信号として画像生成部３１に出力する。撮像素子１１７は、制御部３５によって静止画あるいは動画のいずれか一方の撮像、または、撮像素子１１７における各画素の出力信号の読出し（水平同期、垂直同期、転送）等の撮像動作が制御される。また、撮像素子１１７は、いわゆる裏面照射型の固体撮像素子であってもよい。この裏面照射型の固体撮像素子は、受光部（ＰＮ接合等の光電変換を行う箇所）が配線層よりも撮像レンズ側に配置されている素子であり、このため、前記受光部に到達する実質的な光量が従来構成の固体撮像素子よりも増加するから、低輝度感度が向上する効果や斜め入射による周辺光量落ちを抑制する効果が極めて大きい。
【０１１１】
画像生成部３１は、撮像素子１１７からのアナログ出力信号に対し、増幅処理、デジタル変換処理等を行うと共に、画像全体に対して適正な黒レベルの決定、γ補正、ホワイトバランス調整（ＷＢ調整）、輪郭補正および色ムラ補正等の周知の画像処理を行って、画像信号から画像データを生成する。画像生成部３１で生成された画像データは、画像データバッファ３２に出力される。
【０１１２】
画像データバッファ３２は、画像データを一時的に記憶するとともに、この画像データに対し画像処理部３３によって後述の処理を行うための作業領域として用いられるメモリであり、例えば、揮発性の記憶素子であるＲＡＭ（Ｒａｎｄｏｍ  Ａｃｃｅｓｓ  Ｍｅｍｏｒｙ）などで構成される。
【０１１３】
画像処理部３３は、画像データバッファ３２の画像データに対し、解像度変換等の所定の画像処理を行う回路である。
【０１１４】
また、必要に応じて画像処理部３３は、撮像素子１１７の受光面上に形成される被写体の光学像における歪みを補正する公知の歪み補正処理等の、撮像光学系１００では補正しきれなかった収差を補正するように構成されてもよい。歪み補正は、収差によって歪んだ画像を肉眼で見える光景と同様な相似形の略歪みのない自然な画像に補正するものである。このように構成することによって、撮像光学系１００によって撮像素子１１７へ導かれた被写体の光学像に歪みが生じていたとしても、略歪みのない自然な画像を生成することが可能となる。また、このような歪みを情報処理による画像処理で補正する構成では、特に、歪曲収差を除く他の諸収差だけを考慮すればよいので、撮像光学系１００の設計の自由度が増し、設計がより容易となる。また、このような歪みを情報処理による画像処理で補正する構成では、特に、像面に近いレンズによる収差負担が軽減されるため、射出瞳位置の制御が容易となり、レンズ形状を加工性の良い形状にすることができる。
【０１１５】
また、必要に応じて画像処理部３３は、撮像素子１１７の受光面上に形成される被写体の光学像における周辺照度落ちを補正する公知の周辺照度落ち補正処理を含んでもよい。本実施形態の撮像光学系１００では、撮像素子１１７の略中央における入射角と撮像素子１１７の周辺における入射角との差は、小さく、周辺照度落ちが緩和されているが、デジタル機器３は、このような周辺照度落ち補正処理をさらに備えることによって、より良好な画像を得ることができる。周辺照度落ち補正（シェーディング補正）は、周辺照度落ち補正を行うための補正データを予め記憶しておき、撮影後の画像（画素）に対して補正データを乗算することによって実行される。周辺照度落ちが主に撮像素子１１７における感度の入射角依存性、レンズの口径食およびコサイン４乗則等によって生じるため、前記補正データは、これら要因によって生じる照度落ちを補正するような所定値に設定される。このように構成することによって、撮像光学系１００によって撮像素子１１７へ導かれた被写体の光学像に周辺照度落ちが生じていたとしても、周辺まで充分な照度を持った画像を生成することが可能となる。
【０１１６】
駆動部３４は、制御部３５から出力される制御信号に基づいて図略の前記レンズ駆動装置を動作させることによって、所望のフォーカシングを行わせるように撮像光学系１００におけるフォーカスのためのレンズを駆動する。
【０１１７】
制御部３５は、例えばマイクロプロセッサおよびその周辺回路などを備えて構成され、撮像部３０、画像生成部３１、画像データバッファ３２、画像処理部３３、駆動部３４、記憶部３６およびＩ／Ｆ部３７の各部の動作をその機能に従って制御する。すなわち、この制御部３５によって、撮像装置２１は、被写体の静止画撮影および動画撮影の少なくとも一方の撮影を実行するよう制御される。
【０１１８】
記憶部３６は、被写体の静止画撮影または動画撮影によって生成された画像データを記憶する記憶回路であり、例えば、不揮発性の記憶素子であるＲＯＭ（Ｒｅａｄ  Ｏｎｌｙ  Ｍｅｍｏｒｙ）や、書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）や、ＲＡＭなどを備えて構成される。つまり、記憶部３６は、静止画用および動画用のメモリとしての機能を有する。
【０１１９】
Ｉ／Ｆ部３７は、外部機器と画像データを送受信するインタフェースであり、例えば、ＵＳＢ（Ｕｎｉｖｅｒｓａｌ  Ｓｅｒｉａｌ  Ｂｕｓ）やＩＥＥＥ１３９４などの規格に準拠したインタフェースである。
【０１２０】
このような構成のデジタル機器３の撮像動作に次について説明する。
【０１２１】
静止画を撮影する場合は、制御部３５は、撮像部３０（撮像装置２１）に静止画の撮影を行わせるように制御すると共に、駆動部３４を介して撮像部３０の図略の前記レンズ駆動装置を動作させ、全玉を移動させることによってフォーカシングを行う。これにより、ピントの合った光学像が撮像素子１１７の受光面に周期的に繰り返し結像され、Ｒ、Ｇ、Ｂの色成分の画像信号に変換された後、画像生成部３１に出力される。その画像信号は、画像データバッファ３２に一時的に記憶され、画像処理部３３により画像処理が行われた後、その画像信号に基づく画像がディスプレイ（不図示）に表示される。そして、撮影者は、前記ディスプレイを参照することで、主被写体をその画面中の所望の位置に収まるように調整することが可能となる。この状態でいわゆるシャッターボタン（不図示）が押されることによって、静止画用のメモリとしての記憶部３６に画像データが格納され、静止画像が得られる。
【０１２２】
また、動画撮影を行う場合は、制御部３５は、撮像部３０に動画の撮影を行わせるように制御する。後は、静止画撮影の場合と同様にして、撮影者は、前記ディスプレイ（不図示）を参照することで、撮像部３０を通して得た被写体の像が、その画面中の所望の位置に収まるように調整することができる。前記シャッターボタン（不図示）が押されることによって、動画撮影が開始される。そして、動画撮影時、制御部３５は、撮像部３０に動画の撮影を行わせるように制御すると共に、駆動部３４を介して撮像部３０の図略の前記レンズ駆動装置を動作させ、フォーカシングを行う。これによって、ピントの合った光学像が撮像素子１１７の受光面に周期的に繰り返し結像され、Ｒ、Ｇ、Ｂの色成分の画像信号に変換された後、画像生成部３１に出力される。その画像信号は、画像データバッファ３２に一時的に記憶され、画像処理部３３により画像処理が行われた後、その画像信号に基づく画像がディスプレイ（不図示）に表示される。そして、もう一度前記シャッターボタン（不図示）を押すことで、動画撮影が終了する。撮影された動画像は、動画用のメモリとしての記憶部３６に導かれて格納される。
【０１２３】
このようなデジタル機器３や撮像装置２１（撮像部３０）は、赤外線を吸収する機能をより容易にレンズに付与することができる撮像光学系１００（２００、３００）を用いるので、赤外線カットフィルタを省くことができ、より低背化を図ることができる。すなわち、薄型のデジタル機器３や撮像装置２１が提供される。このため、薄型化が進む携帯電話機、特に、いわゆるスマートフォンに好適である。その一例として、携帯電話機に撮像装置２１を搭載した場合について、以下に説明する。
【０１２４】
図７は、デジタル機器の一実施形態を示すカメラ付携帯電話機の外観構成図である。図７Ａは、携帯電話機の操作面を示し、図７Ｂは、操作面の裏面、つまり背面を示す。
【０１２５】
携帯電話機５は、例えば、図７に示すように、所定の情報を表示する表示部５１と、所定の指示の入力を受け付ける入力操作部５２と、携帯電話網を用いて通信を行って電話機能を実現する図略の通信部５３と、図６に示す各部３０〜３７と、これら各部５１〜５３、３０〜３７を収納する薄い板状の筐体ＨＳとを備えている。筐体ＨＳの一方主面（表面）には、表示部５１における長方形の表示面が臨み、表示面の一方端側（下側）には、入力操作部５２が配設されている。表示部５１の表示面には、前記表示面に指先あるいはペンで触れることによって入力を受け付けるタッチパネルが備えられ、入力操作部５２で入力することができない指示の入力が、タッチパネルと表示部５１に表示される情報と合わせることによって実現されている。例えば、表示部５１には、画像撮影モードの起動ボタン、静止画撮影と動画撮影との切り替えを行う画像撮影ボタンおよびシャッタボタン等が表示され、表示されたボタンの位置の表示面を触れることで、当該ボタンが示す指示が携帯電話機５に入力される。なお、前記タッチパネルは、いわゆる静電容量方式等の公知の方式のものであってよい。そして、筐体ＨＳの他方主面（裏面）には、撮像部３０（撮像装置２１）が臨んでいる。
【０１２６】
このような携帯電話機５では、前記画像撮影モードの起動ボタンが操作されると、その操作内容を表す制御信号が制御部３５へ出力され、制御部３５は、画像撮影の機能を起動し、また、前記画像撮影ボタンが操作されると、その操作内容を表す制御信号が制御部３５へ出力され、制御部３５は、静止画撮影モードの起動、実行や、動画撮影モードの起動、実行等の、その操作内容に応じた動作を実行する。そして、前記シャッタボタンが操作されると、その操作内容を表す制御信号が制御部３５へ出力され、制御部３５は、静止画撮影や動画撮影等の、その操作内容に応じた動作を実行する。
【０１２７】
＜撮像光学系のより具体的な実施形態の説明＞
以下、図１ないし図３に示したような撮像光学系１００、２００、３００の具体的な構成を、図面を参照しつつ説明する。なお、下記に示す撮像光学系１Ａ〜１Ｇは、図６および図７にそれぞれ示したようなデジタル機器３および携帯電話機５に搭載される撮像装置２１に備えられる。
【０１２８】
＜各実施例の説明＞
図８ないし図１４は、実施例１ないし実施例７における撮像光学系におけるレンズの配列を示す断面図である。
【０１２９】
実施例１〜７の撮像光学系１Ａ〜１Ｇは、図８ないし図１４のそれぞれに示すように、大略、物体側から像側へ順に配置される複数のレンズＬｎを備え、フォーカシング（ピント合わせ）の際には、これら複数のレンズＬｎは、全玉繰り出しで光軸方向ＡＸに一体で移動する。そして、実施例１〜７の撮像光学系１Ａ〜１Ｇにおいて、これら複数のレンズＬｎのうちの最も物体側に配置されるレンズＬ１は、正の屈折力を有し、これら複数のレンズＬｎのうちの少なくとも１枚のレンズは、赤外線を吸収する樹脂材料製の非球面レンズである。
【０１３０】
これら実施例１〜７の撮像光学系１Ａ〜１Ｇにおいて、実施例１〜４の撮像光学系１Ａ〜１Ｄは、５枚の第１ないし第５レンズＬ１〜Ｌ５から構成されている。そして、実施例１、３、４の撮像光学系１Ａ、１Ｃ、１Ｄでは、その第１ないし第５レンズＬ１〜Ｌ５の屈折力は、正負正正負である一方、実施例２の撮像光学系１Ｂでは、その第１ないし第５レンズＬ１〜Ｌ５の屈折力は、正負正負負である。実施例１の撮像光学系１Ａでは、光学絞りＳＴは、第１レンズＬ１と第２レンズＬ２との間（第１レンズＬ１の像側）に配置され、実施例１の撮像光学系１Ａは、中絞り型である一方、実施例２〜４の撮像光学系１Ｂ〜１Ｄでは、光学絞りＳＴは、第１レンズＬ１の物体側に配置され、実施例２〜４の撮像光学系１Ｂ〜１Ｄは、前絞り型である。
【０１３１】
これら実施例１〜４の撮像光学系１Ａ〜１Ｄに対し、実施例５の撮像光学系１Ｅは、３枚の第１ないし第３レンズＬ１〜Ｌ３から構成されている。そして、実施例５の撮像光学系１Ｅでは、その第１ないし第３レンズＬ１〜Ｌ３の屈折力は、正正負である。実施例５の撮像光学系１Ｅでは、光学絞りＳＴは、第１レンズＬ１と第２レンズＬ２との間に配置され、実施例５の撮像光学系１Ｅは、中絞り型である。
【０１３２】
また、上記実施例１〜４の撮像光学系１Ａ〜１Ｄに対し、実施例６の撮像光学系１Ｆは、４枚の第１ないし第４レンズＬ１〜Ｌ４から構成されている。そして、実施例６の撮像光学系１Ｆでは、その第１ないし第４レンズＬ１〜Ｌ４の屈折力は、正負正負である。実施例６の撮像光学系１Ｆは、光学絞りＳＴは、第１レンズＬ１の物体側に配置され、実施例６の撮像光学系１Ｆは、前絞り型である。
【０１３３】
そして、上記実施例１〜４の撮像光学系１Ａ〜１Ｄに対し、実施例７の撮像光学系１Ｇは、６枚の第１ないし第６レンズＬ１〜Ｌ６から構成されている。そして、実施例７の撮像光学系１Ｇでは、その第１ないし第６レンズＬ１〜Ｌ６の屈折力は、正負負正正負である。実施例７の撮像光学系１Ｇでは、光学絞りＳＴは、第１レンズＬ１と第２レンズＬ２との間に配置され、実施例７の撮像光学系１Ｇは、中絞り型である。
【０１３４】
より詳しくは、各実施例１〜７の撮像光学系１Ａ〜１Ｇは、複数のレンズＬｎが物体側から像側へ順に配置され、次のように構成されている。
【０１３５】
まず、実施例１の撮像光学系１Ａの場合について説明すると、第１レンズＬ１は、正の屈折力を有する両凸の正レンズであり、第２レンズＬ２は、負の屈折力を有し像側に凹である負メニスカスレンズであり、第３レンズＬ３は、正の屈折力を有し物体側に凸である正メニスカスレンズであり、第４レンズＬ４は、正の屈折力を有し像側に凸である正メニスカスレンズであり、そして、第５レンズＬ５は、負の屈折力を有し像側に凹である負メニスカスレンズである。
【０１３６】
実施例２の撮像光学系１Ｂの場合について説明すると、第１レンズＬ１は、正の屈折力を有し物体側に凸である正メニスカスレンズであり、第２レンズＬ２は、負の屈折力を有し像側に凹である負メニスカスレンズであり、第３レンズＬ３は、正の屈折力を有する両凸の正レンズであり、第４レンズＬ４は、負の屈折力を有する両凹の負レンズであり、そして、第５レンズＬ５は、負の屈折力を有し像側に凹である負メニスカスレンズである。
【０１３７】
実施例３の撮像光学系１Ｃの場合について説明すると、第１レンズＬ１は、正の屈折力を有する両凸の正レンズであり、第２レンズＬ２は、負の屈折力を有し像側に凹である負メニスカスレンズであり、第３レンズＬ３は、正の屈折力を有し物体側に凸の片平の正レンズであり、第４レンズＬ４は、正の屈折力を有する両凸の正レンズであり、そして、第５レンズＬ５は、負の屈折力を有する両凹の負レンズである。
【０１３８】
実施例４の撮像光学系１Ｄの場合について説明すると、第１ないし第４レンズＬ１〜Ｌ４は、実施例１の撮像光学系１Ａにおける第１ないし第４レンズＬ１〜Ｌ４と同様であり、第５レンズＬ５は、負の屈折力を有する両凹の負レンズである。
【０１３９】
これら実施例１〜実施例４の撮像光学系１Ａ〜１Ｄにおいて、実施例１、２、４では、第１ないし第５レンズＬ１〜Ｌ５の５枚全てが樹脂材料製レンズである。そして、実施例１、４の撮像光学系１Ａ、１Ｄでは、第１ないし第４レンズＬ１〜Ｌ４のうちの１または複数のレンズが、赤外線を吸収する機能を有する赤外線吸収レンズであり、実施例２の撮像光学系１Ｂでは、第１および第２レンズＬ１、Ｌ２のうちの少なくとも一方のレンズが、赤外線を吸収する機能を有する赤外線吸収レンズである。一方、実施例３では、第１レンズＬ１は、ガラス製レンズであり、第２ないし第５レンズＬ２〜Ｌ５は、樹脂材料製レンズである。そして、第２ないし第４レンズＬ１〜Ｌ４のうちの１または複数のレンズが、赤外線を吸収する機能を有する赤外線吸収レンズである。
【０１４０】
これに対し、実施例５の撮像光学系１Ｅの場合について説明すると、第１レンズＬ１は、正の屈折力を有し物体側に凸である正メニスカスレンズであり、第２レンズＬ２は、正の屈折力を有し像側に凸である正メニスカスレンズであり、そして、第３レンズＬ３は、負の屈折力を有し像側に凹である負メニスカスレンズである。第１ないし第３レンズＬ１〜Ｌ３の３枚全てが樹脂材料製レンズであり、第１ないし第３レンズＬ１〜Ｌ３のうちの１または複数のレンズが、赤外線を吸収する機能を有する赤外線吸収レンズである。
【０１４１】
また、実施例６の撮像光学系１Ｆの場合について説明すると、第１レンズＬ１は、正の屈折力を有する両凸の正レンズであり、第２レンズＬ２は、負の屈折力を有する両凹の負レンズであり、第３レンズＬ３は、正の屈折力を有し像側に凸である正メニスカスレンズであり、そして、第４レンズＬ４は、負の屈折力を有する両凹の負レンズである。第１ないし第４レンズＬ１〜Ｌ４の４枚全てが樹脂材料製レンズであり、第１ないし第３レンズＬ１〜Ｌ３のうちの１または複数のレンズが、赤外線を吸収する機能を有する赤外線吸収レンズである。
【０１４２】
そして、実施例７の撮像光学系１Ｇの場合について説明すると、第１レンズＬ１は、正の屈折力を有する両凸の正レンズであり、第２レンズＬ２は、負の屈折力を有し像側に凹である負メニスカスレンズであり、第３レンズＬ３は、負の屈折力を有し像側に凹である負メニスカスレンズであり、第４レンズＬ４は、正の屈折力を有し物体側に凸である正メニスカスレンズであり、第５レンズＬ５は、正の屈折力を有する両凸の正レンズであり、そして、第６レンズＬ６は、負の屈折力を有する両凹の負レンズである。第１ないし第６レンズＬ１〜Ｌ６の６枚全てが樹脂材料製レンズであり、第１ないし第４レンズＬ１〜Ｌ４のうちの１または複数のレンズが、赤外線を吸収する機能を有する赤外線吸収レンズである。
【０１４３】
前記光学絞りＳＴは、各実施例１〜７の場合において、開口絞りやメカニカルシャッタや可変絞りであってよい。
【０１４４】
そして、各実施例１〜７の場合において、最も像側に配置されるレンズＬの像側には、撮像素子ＩＳの受光面が配置されている。なお、この最も像側に配置されるレンズＬと撮像素子ＩＳとの間には、平行平板ＦＴがさらに配置されてもよい。すなわち、この最も像側に配置されるレンズＬの像側には、平行平板ＦＴを介して撮像素子ＩＳの受光面が配置されている。平行平板ＦＴは、撮像素子ＩＳのカバーガラス等である。
【０１４５】
図８ないし図１４の各図において、各レンズ面に付されている番号ｒｉ（ｉ＝１，２，３，・・・）は、物体側から数えた場合のｉ番目のレンズ面（ただし、レンズの接合面は１つの面として数えるものとする。）であり、ｒｉに「＊」印が付されている面は、非球面であることを示す。なお、光学絞りＳＴの面および平行平板ＦＴの両面も１つの面として扱っている。このような取り扱いおよび符号の意義は、各実施例についても同様である。ただし、全く同一のものであるという意味ではなく、例えば、各実施例の各図を通じて、最も物体側に配置されるレンズ面には、同じ符号（ｒ１）が付されているが、後述のコンストラクションデータに示すように、これらの曲率等が各実施例１〜７を通じて同一であるという意味ではない。
【０１４６】
このような構成の下で、実施例１の撮像光学系１Ａでは、物体側から入射した光線は、光軸ＡＸに沿って、順に光学絞りＳＴ、第１レンズＬ１、第２レンズＬ２、第３レンズＬ３、第４レンズＬ４および第５レンズＬ５を通過し、撮像素子ＩＳの受光面に物体の光学像を形成する。実施例２〜４の撮像光学系１Ｂ〜１Ｄでは、物体側から入射した光線は、光軸ＡＸに沿って、順に第１レンズＬ１、光学絞りＳＴ、第２レンズＬ２、第３レンズＬ３、第４レンズＬ４および第５レンズＬ５を通過し、撮像素子ＩＳの受光面に物体の光学像を形成する。実施例５の撮像光学系１Ｅでは、物体側から入射した光線は、光軸ＡＸに沿って、順に第１レンズＬ１、光学絞りＳＴ、第２レンズＬ２および第３レンズＬ３を通過し、撮像素子ＩＳの受光面に物体の光学像を形成する。実施例６の撮像光学系１Ｆでは、物体側から入射した光線は、光軸ＡＸに沿って、順に光学絞りＳＴ、第１レンズＬ１、第２レンズＬ２、第３レンズＬ３および第４レンズＬ４を通過し、撮像素子ＩＳの受光面に物体の光学像を形成する。実施例７の撮像光学系１Ｇでは、物体側から入射した光線は、光軸ＡＸに沿って、順に第１レンズＬ１、光学絞りＳＴ、第２レンズＬ２、第３レンズＬ３、第４レンズＬ４、第５レンズＬ５および第６レンズＬ６を通過し、撮像素子ＩＳの受光面に物体の光学像を形成する。
【０１４７】
そして、各実施例１〜７の撮像光学系１Ａ〜１Ｇにおいて、撮像素子ＩＳでは、光学像が電気的な信号に変換される。この電気信号は、必要に応じて所定のデジタル画像処理などが施され、デジタル映像信号として例えばデジタルカメラ等のデジタル機器のメモリに記録されたり、インタフェースを介して有線あるいは無線の通信によって他のデジタル機器に伝送されたりする。
【０１４８】
各実施例１〜７の撮像光学系１Ａ〜１Ｇにおける、各レンズのコンストラクションデータは、次の通りである。
【０１４９】
まず、実施例１の撮像光学系１Ａにおける、各レンズのコンストラクションデータを以下に示す。
【０１５０】
数値実施例１
単位  ｍｍ
面データ
面番号            ｒ        ｄ        ｎｄ        νｄ        ＥＲ
物面              ∞        ∞
１＊            2.138      0.63      1.54470      56.2        1.06
２＊           -8.816      0.00                              0.87
３（絞り）        ∞      0.09                              0.78
４＊            3.378      0.30      1.63200      23.4        0.83
５＊            1.519      0.36                              0.90
６＊            5.455      0.55      1.54470      56.2        1.05
７＊           16.129      0.39                              1.24
８＊           -5.461      0.74      1.54470      56.2        1.44
９＊           -1.097      0.05                              1.66
１０＊         18.556      0.74      1.54470      56.2        2.03
１１＊          1.126      0.70                              2.44
１２              ∞      0.15      1.51630      64.1        3.00
１３              ∞                                        3.00 
像面              ∞
非球面データ
第１面
Ｋ＝-0.28388E+00，Ａ４＝-0.11429E-01，Ａ６＝0.58394E-02，Ａ８＝-0.30635E-01，Ａ１０＝0.25844E-01，Ａ１２＝-0.11762E-01，Ａ１４＝-0.24890E-02
第２面
Ｋ＝0.29247E+02，Ａ４＝-0.24343E-01，Ａ６＝0.16540E+00，Ａ８＝-0.35209E+00，Ａ１０＝0.38420E+00，Ａ１２＝-0.26046E+00，Ａ１４＝0.77919E-01
第４面
Ｋ＝-0.29353E+02，Ａ４＝-0.58267E-01，Ａ６＝0.27269E+00，Ａ８＝-0.39392E+00，Ａ１０＝0.22595E+00，Ａ１２＝-0.42192E-01，Ａ１４＝-0.51043E-03
第５面
Ｋ＝-0.55718E+01，Ａ４＝-0.71904E-02，Ａ６＝0.15580E+00，Ａ８＝-0.14089E+00，Ａ１０＝0.28229E-01，Ａ１２＝-0.32553E-01，Ａ１４＝0.38484E-01
第６面
Ｋ＝0.22272E+02，Ａ４＝-0.10217E+00，Ａ６＝-0.13167E-01，Ａ８＝0.99700E-01，Ａ１０＝-0.14042E+00，Ａ１２＝0.12255E+00，Ａ１４＝-0.50937E-01
第７面
Ｋ＝-0.95653E+02，Ａ４＝-0.61924E-01，Ａ６＝0.13566E-01，Ａ８＝-0.35274E-01，Ａ１０＝0.20141E-01，Ａ１２＝0.64892E-02，Ａ１４＝-0.31555E-02
第８面
Ｋ＝0.10552E+02，Ａ４＝0.14950E-01，Ａ６＝0.82129E-02，Ａ８＝-0.12281E-01，Ａ１０＝-0.26695E-02，Ａ１２＝0.44153E-02，Ａ１４＝-0.68681E-03
第９面
Ｋ＝-0.39323E+01，Ａ４＝-0.70567E-01，Ａ６＝0.49341E-01，Ａ８＝-0.42386E-02，Ａ１０＝-0.20788E-04，Ａ１２＝-0.91338E-03，Ａ１４＝0.18678E-03
第１０面
Ｋ＝0.79799E+01，Ａ４＝-0.11271E+00，Ａ６＝0.35926E-01，Ａ８＝-0.81251E-03，Ａ１０＝-0.12071E-02，Ａ１２＝0.18687E-03，Ａ１４＝-0.80839E-05
第１１面
Ｋ＝-0.60657E+01，Ａ４＝-0.62302E-01，Ａ６＝0.18921E-01，Ａ８＝-0.44435E-02，Ａ１０＝0.53983E-03，Ａ１２＝-0.23945E-04，Ａ１４＝-0.61553E-07
各種データ
焦点距離（ｆ）              3.77（ｍｍ）
Ｆナンバ（Ｆｎｏ）          2.22
半画角（ｗ）               37.1（ｄｅｇ）
像高（最大）（２Ｙ）        5.8（ｍｍ）
バックフォーカス（Ｂｆ）    0.3（ｍｍ）
レンズ全長（ＴＴＬ）        4.945（ｍｍ）
ＥＮＴＰ                    0.46（ｍｍ）
ＥＸＴＰ                   -2.61（ｍｍ）
Ｈ１                       -0.66（ｍｍ）
Ｈ２                       -3.47（ｍｍ）
各レンズの焦点距離（ｍｍ）
第１レンズＬ１              3.224
第２レンズＬ２             -4.656
第３レンズＬ３             14.863
第４レンズＬ４              2.380
第５レンズＬ５             -2.234
【０１５１】
次に、実施例２の撮像光学系１Ｂにおける、各レンズのコンストラクションデータを以下に示す。
【０１５２】
数値実施例２
単位  ｍｍ
面データ
面番号            ｒ        ｄ        ｎｄ        νｄ        ＥＲ
物面              ∞        ∞
１(絞り)          ∞      -0.15                              0.66
２＊            1.128      0.46      1.54470      56.2        0.67
３＊            6.480      0.05                              0.69
４＊            9.922      0.30      1.63470      23.9        0.68
５＊            2.741      0.24                              0.68
６＊           58.806      0.36      1.54470      56.2        0.75
７＊           -7.456      0.36                              0.83
８＊           -6.184      0.30      1.63470      23.9        0.91
９＊           80.645      0.10                              1.19
１０＊          2.199      0.68      1.54470      56.2        1.35
１１＊          1.512      0.50                              1.79
１２              ∞      0.18      1.51630      64.1        2.18
１３              ∞                                        2.23
像面              ∞
非球面データ
第２面
Ｋ＝-0.30565E+00，Ａ４＝0.21285E-01，Ａ６＝0.75751E-01，Ａ８＝-0.32279E+00，Ａ１０＝0.68260E+00，Ａ１２＝-0.28318E+00，Ａ１４＝-0.10821E+01
第３面
Ｋ＝0.35574E+02，Ａ４＝-0.27169E+00，Ａ６＝0.34491E+00，Ａ８＝-0.64675E+00，Ａ１０＝0.68427E-01，Ａ１２＝-0.50424E-01，Ａ１４＝0.13037E+00
第４面
Ｋ＝-0.70000E+02，Ａ４＝-0.27305E+00，Ａ６＝0.38254E+00，Ａ８＝0.31528E-01，Ａ１０＝-0.15770E+01，Ａ１２＝0.16835E+01，Ａ１４＝0.56100E+00
第５面
Ｋ＝-0.52576E+02，Ａ４＝0.23852E+00，Ａ６＝-0.28857E+00，Ａ８＝0.66639E+00，Ａ１０＝0.14364E+01，Ａ１２＝-0.56913E+01，Ａ１４＝0.70700E+01
第６面
Ｋ＝0.70000E+02，Ａ４＝-0.15742E+00，Ａ６＝-0.48731E-01，Ａ８＝0.29234E+00，Ａ１０＝-0.77692E-01，Ａ１２＝-0.17529E+00，Ａ１４＝0.93057E+00
第７面
Ｋ＝-0.70000E+02，Ａ４＝-0.13749E+00，Ａ６＝-0.15531E+00，Ａ８＝0.24223E+00，Ａ１０＝0.89280E-01，Ａ１２＝-0.25665E+00，Ａ１４＝0.43377E+00
第８面
Ｋ＝0.41981E+02，Ａ４＝0.16810E+00，Ａ６＝-0.75297E+00，Ａ８＝0.56261E+00，Ａ１０＝-0.38464E+00，Ａ１２＝0.87706E-01，Ａ１４＝-0.62914E-01
第９面
Ｋ＝0.70000E+02，Ａ４＝0.12832E-01，Ａ６＝-0.27040E+00，Ａ８＝0.11692E+00，Ａ１０＝0.19738E-02，Ａ１２＝-0.18302E-01，Ａ１４＝0.67674E-02
第１０面
Ｋ＝-0.24796E+02，Ａ４＝-0.29698E+00，Ａ６＝0.74264E-01，Ａ８＝0.11234E-01，Ａ１０＝-0.40120E-03，Ａ１２＝-0.57008E-03，Ａ１４＝-0.20397E-03
第１１面
Ｋ＝-0.96609E+01，Ａ４＝-0.12306E+00，Ａ６＝0.24225E-01，Ａ８＝-0.32605E-03，Ａ１０＝-0.77368E-03，Ａ１２＝-0.18265E-03，Ａ１４＝0.57268E-04
各種データ
焦点距離（ｆ）              3.28（ｍｍ）
Ｆナンバ（Ｆｎｏ）          2.47
半画角（ｗ）               34.6（ｄｅｇ）
像高（最大）（２Ｙ）        4.6（ｍｍ）
バックフォーカス（Ｂｆ）    0.15（ｍｍ）
レンズ全長（ＴＴＬ）        3.621（ｍｍ）
ＥＮＴＰ                    0（ｍｍ）
ＥＸＴＰ                   -1.94（ｍｍ）
Ｈ１                       -1.86（ｍｍ）
Ｈ２                       -3.13（ｍｍ）
各レンズの焦点距離（ｍｍ）
第１レンズＬ１              2.432
第２レンズＬ２             -6.067
第３レンズＬ３             12.171
第４レンズＬ４             -9.037
第５レンズＬ５            -13.692
【０１５３】
次に、実施例３の撮像光学系１Ｃにおける、各レンズのコンストラクションデータを以下に示す。
【０１５４】
数値実施例３
単位  ｍｍ
面データ
面番号            ｒ        ｄ        ｎｄ        νｄ        ＥＲ
物面              ∞        ∞
１（絞り）        ∞      -0.05                              0.74
２＊            1.840      0.54      1.58310      59.4        0.78
３＊           -9.292      0.05                              0.86
４＊            6.895      0.27      1.63470      23.9        0.91
５＊            1.926      0.35                              0.91
６＊            6.288      0.49      1.54470      56.2        1.04
７＊              ∞      0.50                              1.10
８＊           77.238      0.59      1.54470      56.2        1.28
９＊           -0.916      0.17                              1.55
１０＊         -1.175      0.42      1.53180      56.0        1.71
１１＊          1.724      0.34                              2.17
１２              ∞      0.25      1.51630      64.1        3.30
１３              ∞                                        3.30
像面              ∞
非球面データ
第２面
Ｋ＝-0.75937E+00，Ａ４＝-0.16351E-01，Ａ６＝-0.73565E-02，Ａ８＝-0.13596E+00，Ａ１０＝0.20267E+00，Ａ１２＝-0.18185E+00
第３面
Ｋ＝0.51562E+01，Ａ４＝-0.37204E-01，Ａ６＝0.50106E-01，Ａ８＝-0.24971E+00，Ａ１０＝0.15743E+00
第４面
Ｋ＝0.25290E+01，Ａ４＝-0.59955E-01，Ａ６＝0.24177E+00，Ａ８＝-0.42185E+00，Ａ１０＝0.28532E+00
第５面
Ｋ＝-0.98038E+01，Ａ４＝0.87620E-01，Ａ６＝0.48244E-01，Ａ８＝-0.90951E-04，Ａ１０＝-0.11025E+00，Ａ１２＝0.11245E+00
第６面
Ｋ＝-0.30000E+02，Ａ４＝-0.11177E+00，Ａ６＝0.54701E-01，Ａ８＝-0.39017E-01，Ａ１０＝0.46976E-01，Ａ１２＝0.66356E-01，Ａ１４＝-0.44595E-01
第７面
Ａ４＝-0.13715E+00，Ａ６＝0.15085E-01，Ａ８＝-0.15361E-01，Ａ１０＝0.10194E-01，Ａ１２＝0.10842E-01，Ａ１４＝0.13234E-01，Ａ１６＝-0.11126E-02
第８面
Ｋ＝0.30000E+02，Ａ４＝-0.10518E+00，Ａ６＝0.85872E-02，Ａ８＝0.12970E-02，Ａ１０＝-0.25995E-01，Ａ１２＝0.48414E-02，Ａ１４＝0.82281E-02，Ａ１６＝-0.25504E-02
第９面
Ｋ＝-0.45195E+01，Ａ４＝-0.80796E-01，Ａ６＝0.76110E-01，Ａ８＝-0.15132E-01，Ａ１０＝-0.14302E-02，Ａ１２＝0.40993E-03，Ａ１４＝0.16150E-03，Ａ１６＝-0.52241E-04
第１０面
Ｋ＝-0.60133E+01，Ａ４＝-0.72425E-01，Ａ６＝0.31292E-01，Ａ８＝0.11232E-02，Ａ１０＝-0.11042E-02，Ａ１２＝-0.11145E-03，Ａ１４＝0.32643E-04，Ａ１６＝0.41277E-06
第１１面
Ｋ＝-0.18062E+02，Ａ４＝-0.36300E-01，Ａ６＝0.73573E-02，Ａ８＝-0.30389E-02，Ａ１０＝0.55223E-03，Ａ１２＝-0.27217E-04，Ａ１４＝-0.76948E-05，Ａ１６＝0.10957E-05
各種データ
焦点距離（ｆ）              3.56（ｍｍ）
Ｆナンバ（Ｆｎｏ）          2.41
半画角（ｗ）               38.7（ｄｅｇ）
像高（最大）（２Ｙ）        5.8（ｍｍ）
バックフォーカス（Ｂｆ）    0.35（ｍｍ）
レンズ全長（ＴＴＬ）        4.237（ｍｍ）
ＥＮＴＰ                    0（ｍｍ）
ＥＸＴＰ                   -2.13（ｍｍ）
Ｈ１                       -1.53（ｍｍ）
Ｈ２                       -3.2（ｍｍ）
各レンズの焦点距離（ｍｍ）
第１レンズＬ１              2.681
第２レンズＬ２             -4.301
第３レンズＬ３             11.545
第４レンズＬ４              1.667
第５レンズＬ５             -1.251
【０１５５】
次に、実施例４の撮像光学系１Ｄにおける、各レンズのコンストラクションデータを以下に示す。
【０１５６】
数値実施例４
単位  ｍｍ
面データ
面番号            ｒ        ｄ        ｎｄ        νｄ        ＥＲ
物面              ∞        ∞
１（絞り）        ∞      -0.07                              0.77
２＊            1.528      0.62      1.54470      56.2        0.85
３＊          -14.952      0.05                              0.91
４＊         1000.000      0.27      1.63470      23.9        0.92
５＊            2.595      0.33                              0.90
６＊            3.100      0.32      1.63470      23.9        0.99
７＊            3.599      0.44                              1.15
８＊           -9.182      0.66      1.54470      56.2        1.40
９＊           -1.036      0.26                              1.65
１０＊         -1.756      0.45      1.53050      55.7        1.91
１１＊          1.985      0.40                              2.28
１２              ∞      0.15      1.51630      64.1        3.00
１３              ∞                                        3.00
像面              ∞
非球面データ
第２面
Ｋ＝-0.22999E+00，Ａ４＝-0.69407E-02，Ａ６＝-0.81920E-02，Ａ８＝-0.49145E-01，Ａ１０＝0.22519E-01，Ａ１２＝0.13169E-01，Ａ１４＝-0.80208E-01
第３面
Ｋ＝-0.30000E+02，Ａ４＝0.30733E-02，Ａ６＝-0.91942E-01，Ａ８＝0.42997E-01，Ａ１０＝-0.47026E-01，Ａ１２＝-0.57654E-01，Ａ１４＝0.51295E-01
第４面
Ｋ＝-0.29971E+02，Ａ４＝0.20317E-01，Ａ６＝0.69346E-01，Ａ８＝-0.12202E+00，Ａ１０＝0.31089E-01，Ａ１２＝0.91194E-01，Ａ１４＝-0.29017E-01
第５面
Ｋ＝-0.11151E+02，Ａ４＝0.81743E-01，Ａ６＝0.73249E-01，Ａ８＝-0.18483E-01，Ａ１０＝-0.13073E-01，Ａ１２＝0.11421E-01，Ａ１４＝0.43182E-01
第６面
Ｋ＝-0.15621E+01，Ａ４＝-0.16700E+00，Ａ６＝0.43170E-01，Ａ８＝0.18122E-01，Ａ１０＝-0.44573E-01，Ａ１２＝0.52331E-01，Ａ１４＝-0.34923E-01
第７面
Ｋ＝-0.27058E+02，Ａ４＝-0.63600E-01，Ａ６＝-0.33041E-01，Ａ８＝0.16808E-01，Ａ１０＝0.15799E-01，Ａ１２＝0.13649E-02，Ａ１４＝-0.37117E-02
第８面
Ｋ＝0.29963E+02，Ａ４＝-0.17740E-01，Ａ６＝0.40560E-01，Ａ８＝-0.38689E-01，Ａ１０＝-0.23572E-02，Ａ１２＝0.11047E-01，Ａ１４＝-0.24298E-02
第９面
Ｋ＝-0.30056E+01，Ａ４＝-0.88146E-03，Ａ６＝0.57319E-01，Ａ８＝-0.20755E-01，Ａ１０＝-0.92344E-03，Ａ１２＝0.13487E-02，Ａ１４＝-0.15172E-03
第１０面
Ｋ＝-0.92913E+01，Ａ４＝-0.54865E-01，Ａ６＝0.18251E-01，Ａ８＝0.26096E-03，Ａ１０＝-0.44267E-03，Ａ１２＝-0.92970E-05，Ａ１４＝0.69479E-05
第１１面
Ｋ＝-0.11000E+02，Ａ４＝-0.66617E-01，Ａ６＝0.19615E-01，Ａ８＝-0.43680E-02，Ａ１０＝0.37738E-03，Ａ１２＝-0.12828E-04，Ａ１４＝0.13564E-05
各種データ
焦点距離（ｆ）              3.7（ｍｍ）
Ｆナンバ（Ｆｎｏ）          2.4
半画角（ｗ）               37.5（ｄｅｇ）
像高（最大）（２Ｙ）        5.8（ｍｍ）
バックフォーカス（Ｂｆ）    0.4（ｍｍ）
レンズ全長（ＴＴＬ）        4.295（ｍｍ）
ＥＮＴＰ                    0（ｍｍ）
ＥＸＴＰ                   -2.2（ｍｍ）
Ｈ１                       -1.57（ｍｍ）
Ｈ２                       -3.3（ｍｍ）
各レンズの焦点距離（ｍｍ）
第１レンズＬ１              2.579
第２レンズＬ２             -4.099
第３レンズＬ３             28.200
第４レンズＬ４              2.084
第５レンズＬ５             -1.686
【０１５７】
次に、実施例５の撮像光学系１Ｅにおける、各レンズのコンストラクションデータを以下に示す。
【０１５８】
数値実施例５
単位  ｍｍ
面データ
面番号            ｒ        ｄ        ｎｄ        νｄ        ＥＲ
物面              ∞        ∞
１＊            1.069      0.72      1.53050      1.5          0.81
２＊            3.317      0.07                                0.50
３（絞り）        ∞      0.40                                0.44
４＊           -0.911      0.50      1.53050      1.5          0.54
５＊           -0.818      0.60                                0.83
６＊           -1.945      0.69      1.58300     30.0          1.63
７＊         -143.684      0.11                                1.84
８                ∞      0.15      1.51630    
64.1            2.50
９                ∞                                          2.50 
像面              ∞
非球面データ
第１面
Ｋ＝-0.35138E+00，Ａ４＝0.43728E-01，Ａ６＝0.15900E-01，Ａ８＝0.91842E-01，Ａ１０＝-0.14196E+00，Ａ１２＝0.24812E+00，Ａ１４＝-0.32812E+00，Ａ１６＝0.63433E-01
第２面
Ｋ＝0.20670E+02，Ａ４＝-0.13714E+00，Ａ６＝0.93091E+00，Ａ８＝-0.89056E+01，Ａ１０＝0.30763E+02，Ａ１２＝-0.48851E+02，Ａ１４＝0.26954E+02，Ａ１６＝-0.13712E+02
第４面
Ｋ＝0.10971E+01，Ａ４＝-0.80353E-01，Ａ６＝0.77670E+00，Ａ８＝-0.32124E+01，Ａ１０＝0.19476E+02，Ａ１２＝-0.50013E+02，Ａ１４＝0.48694E+02，Ａ１６＝-0.13234E+02
第５面
Ｋ＝-0.93617E+00，Ａ４＝0.45641E-01，Ａ６＝-0.72231E-01，Ａ８＝0.40401E+00，Ａ１０＝0.25557E+00，Ａ１２＝-0.18152E+00，Ａ１４＝-0.43306E+00，Ａ１６＝0.21991E+00
第６面
Ｋ＝-0.55658E+00，Ａ４＝0.10605E+00，Ａ６＝-0.18789E-01，Ａ８＝0.33491E-02，Ａ１０＝0.66911E-04，Ａ１２＝-0.14977E-03，Ａ１４＝0.21222E-04，Ａ１６＝-0.13217E-06
第７面
Ｋ＝-0.30000E+02，Ａ４＝-0.53487E-01，Ａ６＝0.12475E-01，Ａ８＝-0.40252E-02，Ａ１０＝0.31844E-03，Ａ１２＝0.14448E-03，Ａ１４＝-0.23171E-04，Ａ１６＝0.25766E-05
各種データ
焦点距離（ｆ）              3.28（ｍｍ）
Ｆナンバ（Ｆｎｏ）          2.88
半画角（ｗ）               34.9（ｄｅｇ）
像高（最大）（２Ｙ）        4.6（ｍｍ）
バックフォーカス（Ｂｆ）    0.48（ｍｍ）
レンズ全長（ＴＴＬ）        3.656（ｍｍ）
ＥＮＴＰ                    0.73（ｍｍ）
ＥＸＴＰ                   -1.79（ｍｍ）
Ｈ１                       -0.73（ｍｍ）
Ｈ２                       -2.8（ｍｍ）
各レンズの焦点距離（ｍｍ）
第１レンズＬ１              2.67
第２レンズＬ２              5.288
第３レンズＬ３             -3.388
【０１５９】
次に、実施例６の撮像光学系１Ｆにおける、各レンズのコンストラクションデータを以下に示す。
【０１６０】
数値実施例６
単位  ｍｍ
面データ
面番号            ｒ        ｄ        ｎｄ        νｄ        ＥＲ
物面              ∞        ∞
１（絞り）        ∞      -0.05                              0.60
２＊            1.463      0.57      1.54470      56.2        0.62
３＊           -6.600      0.05                              0.71
４＊         -466.113      0.23      1.63470      23.9        0.73
５＊            2.699      0.52                              0.76
６＊           -3.749      0.66      1.54470      56.2        0.94
７＊           -0.814      0.19                              1.12
８＊         -500.000      0.40      1.53050      55.7        1.45
９＊            0.860      0.45                              1.83
１０              ∞      0.11      1.51630      64.1        2.50
１１              ∞                                        2.50
像面              ∞
非球面データ
第２面
Ｋ＝-0.19948E+00，Ａ４＝-0.12995E-01，Ａ６＝-0.14293E+00，Ａ８＝0.23654E+00，Ａ１０＝-0.39195E+00
第３面
Ｋ＝-0.90000E+02，Ａ４＝-0.15510E+00，Ａ６＝0.85783E-01，Ａ８＝0.20108E+00，Ａ１０＝-0.42579E+00
第４面
Ｋ＝0.90000E+02，Ａ４＝0.19041E-02，Ａ６＝-0.17371E+00，Ａ８＝0.99022E+00，Ａ１０＝-0.90213E+00，Ａ１２＝0.94446E-01
第５面
Ｋ＝-0.16060E-01，Ａ４＝0.12057E+00，Ａ６＝-0.23375E-01，Ａ８＝-0.26848E+00，Ａ１０＝0.12017E+01，Ａ１２＝-0.95442E+00
第６面
Ｋ＝-0.41312E+02，Ａ４＝-0.17561E-01，Ａ６＝-0.15266E+00，Ａ８＝0.29806E+00，Ａ１０＝-0.31964E+00，Ａ１２＝0.13248E+00
第７面
Ｋ＝-0.48643E+01，Ａ４＝-0.30483E+00，Ａ６＝0.50026E+00，Ａ８＝-0.61291E+00，Ａ１０＝0.43873E+00，Ａ１２＝-0.11189E+00
第８面
Ｋ＝-0.14108E+00，Ａ４＝-0.20400E+00，Ａ６＝0.42329E-01，Ａ８＝0.26399E-01，Ａ１０＝-0.61184E-02，Ａ１２＝-0.16013E-02，Ａ１４＝0.41103E-03
第９面
Ｋ＝-0.61585E+01，Ａ４＝-0.14631E+00，Ａ６＝0.76525E-01，Ａ８＝-0.34041E-01，Ａ１０＝0.97871E-02，Ａ１２＝-0.17089E-02，Ａ１４＝0.13459E-03
各種データ
焦点距離（ｆ）              2.87（ｍｍ）
Ｆナンバ（Ｆｎｏ）          2.4
半画角（ｗ）               38.5（ｄｅｇ）
像高（最大）（２Ｙ）        4.6（ｍｍ）
バックフォーカス（Ｂｆ）    0.42（ｍｍ）
レンズ全長（ＴＴＬ）        3.553（ｍｍ）
ＥＮＴＰ                    0（ｍｍ）
ＥＸＴＰ                   -1.9（ｍｍ）
Ｈ１                       -0.68（ｍｍ）
Ｈ２                       -2.46（ｍｍ）
各レンズの焦点距離（ｍｍ）
第１レンズＬ１              2.255
第２レンズＬ２             -4.228
第３レンズＬ３              1.769
第４レンズＬ４             -1.619
第５レンズＬ５             
【０１６１】
次に、実施例７の撮像光学系１Ｇにおける、各レンズのコンストラクションデータを以下に示す。
【０１６２】
数値実施例７
単位  ｍｍ
面データ
面番号            ｒ        ｄ        ｎｄ        νｄ        ＥＲ
物面              ∞        ∞
１＊            2.217      0.64      1.54470      56.2        1.29
２＊          -20.927      0.00                              1.17
３（絞り）        ∞      0.05                              1.06
４＊            3.398      0.20      1.63470      23.9        1.08
５＊            1.919      0.50                              1.09
６＊           24.654      0.27      1.63470      23.9        1.12
７＊            4.287      0.19                              1.28
８＊            1.853      0.45      1.54470      56.2        1.64
９＊            2.367      0.41                              1.70
１０＊          7.651      0.84      1.54470      56.2        1.81
１１＊         -1.187      0.34                              1.95
１２＊        -18.359      0.35      1.54470      56.2        2.34
１３＊          1.142      0.56                              2.60
１４              ∞      0.15      1.51630      64.1        3.00
１５              ∞                                        3.00
像面              ∞
非球面データ
第１面
Ｋ＝-0.35266E+00，Ａ４＝0.17876E-02，Ａ６＝0.25122E-02，Ａ８＝-0.11691E-01，Ａ１０＝0.68717E-02，Ａ１２＝-0.37756E-02
第２面
Ｋ＝-0.50000E+02，Ａ４＝-0.24060E-02，Ａ６＝0.93964E-02，Ａ８＝-0.20026E-01，Ａ１０＝0.71184E-02，Ａ１２＝-0.15635E-02
第４面
Ｋ＝-0.33812E+02，Ａ４＝-0.31977E-01，Ａ６＝0.26673E-01，Ａ８＝-0.69083E-02，Ａ１０＝0.26725E-02，Ａ１２＝0.12675E-02
第５面
Ｋ＝-0.86937E+01，Ａ４＝-0.19768E-01，Ａ６＝0.35609E-02，Ａ８＝-0.67704E-03，Ａ１０＝0.40106E-03，Ａ１２＝-0.17523E-02
第６面
Ｋ＝0.15291E+02，Ａ４＝-0.10498E+00，Ａ６＝0.77244E-02，Ａ８＝-0.36729E-01，Ａ１０＝-0.65175E-02，Ａ１２＝0.11747E-01
第７面
Ｋ＝-0.15003E+03，Ａ４＝-0.46838E-01，Ａ６＝-0.13609E-01，Ａ８＝-0.53287E-03，Ａ１０＝-0.59168E-03，Ａ１２＝0.32180E-02
第８面
Ｋ＝-0.15573E+02，Ａ４＝-0.16242E-01，Ａ６＝0.54973E-02，Ａ８＝-0.16158E-02，Ａ１０＝0.74709E-03，Ａ１２＝-0.11447E-03
第９面
Ｋ＝-0.17837E+02，Ａ４＝-0.34995E-01，Ａ６＝0.50616E-03，Ａ８＝-0.12060E-02，Ａ１０＝0.91768E-04，Ａ１２＝0.19897E-03
第１０面
Ｋ＝-0.22297E+02，Ａ４＝-0.30142E-01，Ａ６＝0.11288E-01，Ａ８＝-0.38607E-02，Ａ１０＝-0.53681E-03，Ａ１２＝0.23041E-03
第１１面
Ｋ＝-0.48430E+01，Ａ４＝-0.48149E-01，Ａ６＝0.26459E-01，Ａ８＝-0.40246E-02，Ａ１０＝0.50919E-03，Ａ１２＝-0.77910E-04，Ａ１４＝-0.81821E-05，Ａ１６＝0.19237E-05
第１２面
Ｋ＝0.46873E+02，Ａ４＝-0.67404E-01，Ａ６＝0.15586E-01，Ａ８＝-0.78561E-04，Ａ１０＝-0.14079E-03，Ａ１２＝-0.58505E-05，Ａ１４＝0.15409E-05
第１３面
Ｋ＝-0.60707E+01，Ａ４＝-0.43812E-01，Ａ６＝0.11297E-01，Ａ８＝-0.20994E-02，Ａ１０＝0.18653E-03，Ａ１２＝-0.23108E-05，Ａ１４＝-0.33756E-06
各種データ
焦点距離（ｆ）              3.8（ｍｍ）
Ｆナンバ（Ｆｎｏ）          1.7
半画角（ｗ）               36.9（ｄｅｇ）
像高（最大）（２Ｙ）        5.8（ｍｍ）
バックフォーカス（Ｂｆ）    0.31（ｍｍ）
レンズ全長（ＴＴＬ）        5.216（ｍｍ）
ＥＮＴＰ                    0.46（ｍｍ）
ＥＸＴＰ                   -2.75（ｍｍ）
Ｈ１                       -0.47（ｍｍ）
Ｈ２                       -3.5（ｍｍ）
各レンズの焦点距離（ｍｍ）
第１レンズＬ１              3.717
第２レンズＬ２             -7.336
第３レンズＬ３             -8.219
第４レンズＬ４             11.935
第５レンズＬ５              1.952
第６レンズＬ６             -1.962
【０１６３】
ここで、上記各種データのレンズ全長（ＴＴＬ）は、物体距離無限時でのレンズ全長（第１レンズ物体側面から撮像面までの距離）であって、平行平板は、空気換算長として計算されている。ＥＮＴＰは、入射瞳から第１面までの距離であり、入射瞳＝絞りである場合には０となる。ＥＸＴＰは、最終面（カバーガラス像面側）から射出瞳までの距離であり、Ｈ１は、第１面から物体側主点までの距離であり、Ｈ２は、最終面（カバーガラス像面側）から像側主点までの距離である。
【０１６４】
上記の面データにおいて、面番号は、図８ないし図１４に示した各レンズ面に付した符号ｒｉ（ｉ＝１，２，３，…）の番号ｉが対応する。番号ｉに＊が付された面は、非球面（非球面形状の屈折光学面または非球面と等価な屈折作用を有する面）であることを示す。
【０１６５】
また、“ｒ”は、各面の曲率半径（単位；ｍｍ）を、“ｄ”は、無限遠合焦状態（無限距離での合焦状態）での光軸上の各レンズ面の間隔（軸上面間隔、単位；ｍｍ）を、“ｎｄ”は、各レンズのｄ線（波長５８７．５６ｎｍ）に対する屈折率を、“νｄ”は、アッベ数を、そして、”ＥＲ”は、有効半径（単位；ｍｍ）をそれぞれ示している。なお、光学絞りＳＴ、撮像素子ＳＩの受光面の各面は、平面であるために、それらの曲率半径は、∞（無限大）である。また、必要に応じて配置される平行平面板ＦＴの両面も、その曲率半径は、∞（無限大）である。
【０１６６】
上記の非球面データは、非球面とされている面（面データにおいて番号ｉに＊が付された面）の２次曲面パラメータ（円錐係数Ｋ）と非球面係数Ａｉ（ｉ＝４，６，８，１０，１２，１４，１６）の値とを示すものである。
【０１６７】
各実施例において、非球面の形状は、面頂点を原点とし、光軸方向にＸ軸をとり、光軸と垂直方向の高さをｈとする場合に、次式により定義している。
Ｘ＝（ｈ２／Ｒ）／［１＋（１−（１＋Ｋ）ｈ２／Ｒ２）１／２］＋ΣＡｉ・ｈｉ
ただし、Ａｉは、ｉ次の非球面係数であり、Ｒは、基準曲率半径であり、そして、Ｋは、円錐定数である。
【０１６８】
なお、請求項、実施形態および各実施例に記載の近軸曲率半径（ｒ）について、実際のレンズ測定の場面において、レンズ中央近傍(より具体的には、レンズ外径に対して１０％以内の中央領域)での形状測定値を最小自乗法でフィッティングした際の近似曲率半径を近軸曲率半径であるとみなすことができる。また、例えば２次の非球面係数を使用した場合には、非球面定義式の基準曲率半径に２次の非球面係数も勘案した曲率半径を近軸曲率半径とみなすことができる（例えば参考文献として、松居吉哉著「レンズ設計法」(共立出版株式会社)のＰ４１〜Ｐ４２を参照）。
【０１６９】
そして、上記非球面データにおいて、「En」は、「１０のｎ乗」を意味する。例えば、「E+001」は、「１０の＋１乗」を意味し、「E-003」は、「１０の−３乗」を意味する。
【０１７０】
上記に列挙した各実施例１〜７の撮像光学系１Ａ〜１Ｇに、上述した条件式（Ａ１）〜（Ａ７）を当てはめた場合の数値を、それぞれ、表１に示す。
【０１７１】
【表１】
2014080561.tif 000003
【０１７２】
また、上記に列挙した各実施例１〜４の撮像光学系１Ａ〜１Ｄに、上述した条件式（Ｂ１）〜（Ｂ７）を当てはめた場合の数値を、それぞれ、表２に示す。
【０１７３】
【表２】
2014080561.tif 000004
【０１７４】
また、上記に列挙した各実施例１〜４の撮像光学系１Ａ〜１Ｄに、上述した条件式（Ｃ１）〜（Ｃ６）を当てはめた場合の数値を、それぞれ、表３に示す。
【０１７５】
【表３】
2014080561.tif 000005
【０１７６】
以上、説明したように、上記実施例１〜７における撮像光学系１Ａ〜１Ｇは、３枚〜６枚のレンズ構成であって、上述の各条件を満足している結果、諸収差を良好に補正しつつ、赤外線吸収機能を持つレンズを薄くして光学全長を短縮化することができる。そして、上記実施例１〜７における撮像光学系１Ａ〜１Ｇは、撮像装置２１およびデジタル機器３に搭載する上で、特に携帯電話機５に搭載する上で光学全長の短縮化が充分に達成されている。
【０１７７】
本明細書は、上記のように様々な態様の技術を開示しているが、そのうち主な技術を以下に纏める。
【０１７８】
一態様にかかる撮像光学系は、物体側から像側へ順に配置される複数のレンズを備え、前記複数のレンズのうちの最も物体側に配置されるレンズは、正の屈折力を有し、前記複数のレンズのうちの少なくとも１枚のレンズは、赤外線を吸収する赤外線吸収材を含んだ樹脂材料製の非球面レンズである。
【０１７９】
このような撮像光学系は、前記複数のレンズのうちの少なくとも１枚のレンズが、赤外線を吸収する赤外線吸収材を含んだ樹脂材料製の非球面レンズであるので、赤外線を吸収する機能を持つレンズをより薄くすることができる。
【０１８０】
他の一態様にかかる撮像光学系は、物体側から像側へ順に配置される複数のレンズを備え、前記複数のレンズのうちの最も物体側に配置されるレンズは、正の屈折力を有し、前記複数のレンズのうちの少なくとも１枚のレンズは、赤外線を吸収する赤外線吸収材を含んだ樹脂材料製の非球面レンズであり、下記（Ａ１）ないし（Ａ３）の各条件式を満たす。
０．５＜ＯＰｐ／ＯＰｃ＜１．５      ・・・（Ａ１）
２６＜α≦４５      ・・・（Ａ２）
０．５５≦Ｙ／ＴＴＬ      ・・・（Ａ３）
ただし、ＯＰｐは、前記赤外線を吸収する赤外線吸収材を含んだ樹脂材料製の非球面レンズにおける８割像高での光路長であり、ＯＰｃは、前記赤外線を吸収する赤外線吸収材を含んだ樹脂材料製の非球面レンズにおける光軸上での光路長であり、αは、像面への最大像高に対する主光線の光線入射角（ｄｅｇ）であり、Ｙは、最大像高であり、ＴＴＬは、無限遠物体時の光学全長である。
【０１８１】
このような撮像光学系は、赤外線を吸収する機能を付与するレンズ（赤外線吸収レンズ）を形成する硝材に樹脂材料を用いることで、有機物の赤外線吸収材を利用することができ、前記硝材にガラス材料を用いる場合に較べて赤外線吸収レンズをより薄く形成することができる。
【０１８２】
他の一態様では、上述の撮像光学系において、前記複数のレンズは、４枚、５枚および６枚のうちのいずれかの枚数であり、前記複数のレンズのうちの少なくとも２枚のレンズは、正の屈折力を有し、前記複数のレンズのうちの少なくとも２枚のレンズは、負の屈折力を有する。
【０１８３】
このような撮像光学系は、赤外線吸収レンズの製造難易度が高い場合でも製造誤差による収差劣化等の性能劣化を抑制することができる。なお、諸収差を補正することができ、高画素化および明るいＦナンバーを実現する観点から、前記複数のレンズは、５枚以上であることが好ましい。
【０１８４】
他の一態様では、これら上述の撮像光学系において、下記（Ａ４）および（Ａ５）の各条件式をさらに満たす。
ＦＮ≦３      ・・・（Ａ４）
２５≦ｗ≦１００      ・・・（Ａ５）
ただし、ＦＮは、Ｆナンバーであり、ｗは、半画角（ｄｅｇ）である。
【０１８５】
このような撮像光学系は、条件式（Ａ４）を満たすことで、暗い撮像光学系で生じ易いノイズの増加や暗所性能の悪化を回避することができ、また、コスト高を回避し易い。そして、このような撮像光学系は、条件式（Ａ５）を満たすことで、このような作用効果が効果的に得ることができる。
【０１８６】
他の一態様では、これら上述の撮像光学系において、前記赤外線吸収材を含んだ樹脂材料製の前記非球面レンズのうちの少なくとも１枚は、下記（Ａ６）の条件式をさらに満たす。
１≦ＴＤｍａｘ／ＴＤｍｉｎ＜２．３      ・・・（Ａ６）
ただし、ＴＤｍａｘは、前記赤外線吸収材を含んだ樹脂材料製の非球面レンズにおける最大の厚さであり、ＴＤｍｉｎは、前記赤外線吸収材を含んだ樹脂材料製の非球面レンズにおける最小の厚さである。なお、前記厚さは、光軸と平行な方向の長さである。
【０１８７】
このような撮像光学系は、条件式（Ａ６）を満たすことで、その性能の向上を図ることができる。
【０１８８】
他の一態様では、これら上述の撮像光学系において、前記赤外線吸収材を含んだ樹脂材料製の前記非球面レンズのうちの少なくとも１枚は、下記（Ａ７）の条件式をさらに満たす。
０≦｜ｆ／ｆｉｒ｜＜１．５      ・・・（Ａ７）
ただし、ｆは、前記撮像光学系全系の焦点距離であり、ｆｉｒは、前記赤外線を吸収する樹脂材料製の非球面レンズにおける焦点距離である。
【０１８９】
このような撮像光学系は、条件式（Ａ７）を満たすことで、赤外線吸収レンズの製造難易度が高い場合でも製造誤差による収差劣化等の性能劣化を抑制することができる。
【０１９０】
他の一態様では、これら上述の撮像光学系において、前記複数のレンズのうちの最も像側に配置されるレンズは、固定されている。
【０１９１】
このような撮像光学系は、最像側のレンズが固定であるので、この固定レンズを撮像素子の封止用部材に兼用できる。このため、このような撮像光学系は、いわゆるカバーガラスを削減できるので、より低背化を図ることができる。
【０１９２】
他の一態様では、これら上述の撮像光学系において、前記複数のレンズのうちの少なくとも１枚のレンズは、レンズ面に形成された、４００ｎｍ以下の波長域ならびに７００ｎｍ以上の波長域における各透過率を抑制するコーティング層を備える。
【０１９３】
このような撮像光学系は、必要に応じて、前記コーティング層によって赤外線カット特性の不足分を補償することができ、撮像光学系における所望の赤外線カット特性を得ることができる。
【０１９４】
また、他の一態様にかかる撮像光学系は、物体側より像側へ順に第１レンズから第５レンズまでの５枚のレンズを備え、前記第１レンズは、正の屈折力を有し、前記第２レンズは、負の屈折力を有し、前記第１および第２レンズのうちの少なくとも１枚のレンズは、赤外線を吸収する赤外線吸収材を含んだ樹脂材料製の非球面レンズであり、前記赤外線吸収材料を含んだレンズのうちの少なくとも１枚は、下記（Ｂ１）ないし（Ｂ５）の各条件式を満たす。
０．５≦｜ｆ／ｆｉｒ｜＜１．５      ・・・（Ｂ１）
０≦｜Ｄｉｒ／ＴＴＬ｜＜０．２      ・・・（Ｂ２）
ＦＮ≦３      ・・・（Ｂ３）
２５≦ｗ≦１００      ・・・（Ｂ４）
２５＜α≦４５      ・・・（Ｂ５）
ただし、ｆは、前記撮像光学系全系の焦点距離であり、ｆｉｒは、前記赤外線吸収材を含んだ樹脂材料製の非球面レンズにおける焦点距離であり、Ｄｉｒは、開口絞りから、前記赤外線吸収材を含んだ樹脂材料製の非球面レンズにおける物体側面までの光軸上での光路長であり、ＴＴＬは、無限遠物体時の光学全長であり、ＦＮは、Ｆナンバーであり、ｗは、半画角（ｄｅｇ）であり、そして、αは、像面への最大像高に対応する主光線の光線入射角（ｄｅｇ）である。
【０１９５】
このような撮像光学系は、赤外線を吸収する機能を付与するレンズ（赤外線吸収レンズ）を形成する硝材に樹脂材料を用いることで、有機物の赤外線吸収材を利用することができ、前記硝材にガラス材料を用いる場合に較べて赤外線吸収レンズをより薄く形成することができる。
【０１９６】
他の一態様では、上述の撮像光学系において、前記赤外線吸収材を含んだ樹脂材料製の非球面レンズの少なくとも１枚は、下記（Ｂ６）の条件式をさらに満たす。
１≦ＴＤｍａｘ／ＴＤｍｉｎ＜２．３      ・・・（Ｂ６）
ただし、ＴＤｍａｘは、前記赤外線吸収材を含んだ樹脂材料製の非球面レンズにおける最大の厚さであり、ＴＤｍｉｎは、前記赤外線吸収材を含んだ樹脂材料製の非球面レンズにおける最小の厚さである。なお、前記厚さは、光軸と平行な方向の長さである。
【０１９７】
このような撮像光学系は、条件式（Ｂ６）を満たすことで、性能の向上を図ることができる。
【０１９８】
他の一態様では、これら上述の撮像光学系において、下記（Ｂ７）の条件式をさらに満たす。
０．７＜ＯＰｐ／ＯＰｃ＜１．３      ・・・（Ｂ７）
ただし、ＯＰｐは、前記赤外線吸収材を含んだ樹脂材料製の非球面レンズにおける８割像高での光路長であり、そして、ＯＰｃは、前記赤外線吸収材を含んだ樹脂材料製の非球面レンズにおける光軸上での光路長である。
【０１９９】
吸収型の赤外線カットフィルタでは赤外線吸収量が光路長に比例するが、上記撮像光学系では、条件式（Ｂ７）を満たすことで、レンズの有効領域全域で光路長を略均一にすることができ、レンズの有効領域全域で略均一な赤外線吸収量が得られる。この結果、色むらを低減した、もしくは、色むらの無い良好な画像が得られる。すなわち、前記条件式（Ｂ７）の下限値を下回る場合や上限値を上回る場合では、レンズの有効領域内で光路長が不均一となって好ましくない。
【０２００】
他の一態様では、これら上述の撮像光学系において、前記赤外線吸収材を含んだ樹脂材料製の非球面レンズは、１枚である。
【０２０１】
このような撮像光学系は、赤外線吸収レンズが１枚であるので、製造難易度を下げることができる。
【０２０２】
他の一態様では、これら上述の撮像光学系において、下記（Ｂ８）の条件式をさらに満たす。
８０＜Ｔｒ＜９０      ・・・（Ｂ８）
ただし、Ｔｒは、可視光域（波長４００ｎｍ〜７００ｎｍ）での平均透過率（％）である。
【０２０３】
このような撮像光学系は、条件式（Ｂ８）を満たすことで、条件式（Ｂ１）ないし（Ｂ５）の条件の下における上述の作用効果を効果的に得ることができる。
【０２０４】
また、他の一態様にかかる撮像光学系は、物体側より像側へ順に第１レンズから第５レンズまでの５枚のレンズを備え、前記第１レンズは、正の屈折力を有し、前記第２レンズは、負の屈折力を有し、前記第３ないし第５レンズのうちの少なくとも１枚のレンズは、赤外線を吸収する赤外線吸収材を含んだ樹脂材料製の非球面レンズであり、前記赤外線を吸収する赤外線吸収材を含んだレンズのうちの少なくとも１枚は、下記（Ｃ１）ないし（Ｃ４）の各条件式を満たす。
０≦｜ｆ／ｆｉｒ｜＜０．５      ・・・（Ｃ１）
ＦＮ≦３      ・・・（Ｃ２）
２５≦ｗ≦１００      ・・・（Ｃ３）
２５＜α≦４５      ・・・（Ｃ４）
ただし、ｆは、前記撮像光学系全系の焦点距離であり、ｆｉｒは、前記赤外線を吸収する赤外線吸収材を含んだ樹脂材料製の非球面レンズにおける焦点距離であり、ＦＮは、Ｆナンバーであり、ｗは、半画角（ｄｅｇ）であり、そして、αは、像面への最大像高に対応する主光線の光線入射角（ｄｅｇ）である。
【０２０５】
このような撮像光学系は、赤外線を吸収する機能を付与するレンズ（赤外線吸収レンズ）を形成する硝材に樹脂材料を用いることで、有機物の赤外線吸収材を利用することができ、前記硝材にガラス材料を用いる場合に較べて赤外線吸収レンズをより薄く形成することができる。
【０２０６】
他の一態様では、上述の撮像光学系において、前記赤外線吸収材を含んだ樹脂材料製の非球面レンズのうちの少なくとも１枚は、下記（Ｃ５）の条件式をさらに満たす。
１＜ＴＤｍａｘ／ＴＤｍｉｎ＜１．７５      ・・・（Ｃ５）
ただし、ＴＤｍａｘは、前記赤外線吸収材を含んだ樹脂材料製の非球面レンズにおける最大の厚さであり、ＴＤｍｉｎは、前記赤外線吸収材を含んだ樹脂材料製の非球面レンズにおける最小の厚さである。なお、前記厚さは、光軸と平行な方向の長さである。
【０２０７】
このような撮像光学系は、条件式（Ｃ５）を満たすことで、性能の向上を図ることができる。
【０２０８】
他の一態様では、これら上述の撮像光学系において、下記（Ｃ６）の条件式をさらに満たす。
０．７＜ＯＰｐ／ＯＰｃ＜１．３      ・・・（Ｃ６）
ただし、ＯＰｐは、前記赤外線吸収材を含んだ樹脂材料製の非球面レンズにおける８割像高での光路長であり、そして、ＯＰｃは、前記赤外線吸収材を含んだ樹脂材料製の非球面レンズにおける光軸上での光路長である。
【０２０９】
吸収型の赤外線カットフィルタでは赤外線吸収量が光路長に比例するが、上記撮像光学系では、条件式（Ｃ６）を満たすことで、レンズの有効領域全域で光路長を略均一にすることができ、レンズの有効領域全域で略均一な赤外線吸収量が得られる。この結果、色むらを低減した、もしくは、色むらの無い良好な画像が得られる。すなわち、前記条件式（Ｃ６）の下限値を下回る場合や上限値を上回る場合では、レンズの有効領域内で光路長が不均一となって好ましくない。
【０２１０】
他の一態様では、これら上述の撮像光学系において、前記第３レンズは、有効領域内であって中心から前記有効領域の半分より外側の領域に像側に凹形状を有する。
【０２１１】
このような撮像光学系は、光線入射角が大きくなっても光路長を画面全体で略均一にすることができる。
【０２１２】
他の一態様では、これら上述の撮像光学系において、下記（Ｃ７）の条件式をさらに満たすことを特徴とする。
８０＜Ｔｒ＜９０      ・・・（Ｃ７）
ただし、Ｔｒは、可視光域（波長４００ｎｍ〜７００ｎｍ）での平均透過率（％）である。
【０２１３】
このような撮像光学系は、条件式（Ｃ７）を満たすことで、条件式（Ｃ１）ないし（Ｃ４）の条件の下における上述の作用効果を効果的に得ることができる。
【０２１４】
他の一態様では、これら上述の撮像光学系において、前記赤外線吸収材を含んだ樹脂材料製の非球面レンズは、１枚である。
【０２１５】
このような撮像光学系は、赤外線吸収レンズが１枚であるので、製造難易度を下げることができる。
【０２１６】
また、他の一態様にかかる撮像装置は、これら上述のいずれかの撮像光学系と、光学像を電気的な信号に変換する撮像素子とを備え、前記撮像光学系が前記撮像素子の受光面上に物体の光学像を形成可能とされていることを特徴とする。
【０２１７】
このような撮像装置は、赤外線吸収レンズを薄くできるので、より低背化を図ることができる。すなわち、薄型の撮像装置が提供される。
【０２１８】
また、他の一態様にかかるデジタル機器は、上述の撮像装置と、前記撮像装置に被写体の静止画撮影および動画撮影の少なくとも一方の撮影を行わせる制御部とを備え、前記撮像装置の撮像光学系が、前記撮像素子の撮像面上に前記被写体の光学像を形成可能に組み付けられていることを特徴とする。そして、好ましくは、デジタル機器は、携帯端末から成る。
【０２１９】
このようなデジタル機器や携帯端末は、赤外線吸収レンズを薄くできるので、より低背化を図ることができる。すなわち、薄型のデジタル機器や携帯端末が提供される。
【０２２０】
この出願は、２０１２年１１月２１日に出願された日本国特許出願特願２０１２−２５５１５８、２０１２年１１月２１日に出願された日本国特許出願特願２０１２−２５５１５９および２０１２年１１月２１日に出願された日本国特許出願特願２０１２−２５５１６０、ならびに、２０１３年８月５日に出願された日本国特許出願特願２０１３−１６１９６１、２０１３年８月５日に出願された日本国特許出願特願２０１３−１６１９６２および２０１３年８月５日に出願された日本国特許出願特願２０１３−１６１９６３を基礎とするものであり、その内容は、本願に含まれるものである。
【０２２１】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０２２２】
本発明によれば、撮像光学系、撮像装置およびデジタル機器を提供することができる。
【図１】
2014080561.tif 000006
【図２】
2014080561.tif 000007
【図３】
2014080561.tif 000008
【図４】
2014080561.tif 000009
【図５】
2014080561.tif 000010
【図６】
2014080561.tif 000011
【図７】
2014080561.tif 000012
【図８】
2014080561.tif 000013
【図９】
2014080561.tif 000014
【図１０】
2014080561.tif 000015
【図１１】
2014080561.tif 000016
【図１２】
2014080561.tif 000017
【図１３】
2014080561.tif 000018
【図１４】
2014080561.tif 000019
【国際調査報告】
2014080561.tif 000020
2014080561.tif 000021
2014080561.tif 000022
2014080561.tif 000023
2014080561.tif 000024
2014080561.tif 000025